(57)【要約】  本開示は、一部には、液体透過性トップシートと、液体不透過性バックシートと、横方向軸線の第１の側の前側領域及び横方向軸線の第２の側の後側領域を画定する横方向軸線と、液体透過性トップシートと液体不透過性バックシートとの間に少なくとも部分的に配置される吸収性コアと、を含む吸収性物品に関する。液体透過性トップシートは、主に前側領域に位置し、かつ実質的に移動可能な化学的処理部を有する第１ゾーンと、主に後側領域に位置し、かつ実質的に移動可能な化学的処理部を有する第２ゾーンと、を含むことができる。実質的に移動可能な化学的処理部の坪量は、第２ゾーンが第１ゾーンより大きくてもよい。
2017509447.tif 000002
【特許請求の範囲】
【請求項１】
吸収性物品であって、
液体透過性トップシートと、
液体不透過性バックシートと、
横方向に延在する分離要素であって、該分離要素の第１の側の前側領域及び該分離要素の第２の側の後側領域を画定する分離要素と、
前記液体透過性トップシートと前記液体不透過性バックシートとの間に少なくとも部分的に配置される吸収性コアと、を含み、
前記液体透過性トップシートが、主に前記前側領域に位置し、かつ疎水性である第１の実質的に移動可能な化学的処理部を有する第１ゾーンと、主に前記後側領域に位置し、かつ前記第１の化学的処理部とは異なる親水性を有する第２の実質的に移動可能な化学的処理部を有する第２ゾーンと、を含む、吸収性物品。
【請求項２】
前記第２の化学的処理部が、前記第１の化学的処理部より親水性である、請求項１に記載の吸収性物品。
【請求項３】
前記第２の化学的処理部が疎水性である、請求項１又は２に記載の吸収性物品。
【請求項４】
前記第２の化学的処理部が、前記第１の化学的処理部より疎水性である、請求項１〜３のいずれか一項に記載の吸収性物品。
【請求項５】
前記第１の実質的に移動可能な化学的処理部の坪量が、前記第２の実質的に移動可能な化学的処理部の坪量より大きい、請求項１〜４のいずれか一項に記載の吸収性物品。
【請求項６】
前記第１の実質的に移動可能な化学的処理部の坪量が、前記第２の実質的に移動可能な化学的処理部の坪量より小さい、請求項１〜４のいずれか一項に記載の吸収性物品。
【請求項７】
前記第１又は前記第２の実質的に移動可能な化学的処理部がスキンケア組成物を含む、請求項１〜６のいずれか一項に記載の吸収性物品。
【請求項８】
前記液体透過性トップシートが、実質的に耐久性のある化学的処理部を含む、請求項１〜７のいずれか一項に記載の吸収性物品。
【請求項９】
前記実質的に耐久性のある化学的処理部がインクを含む、請求項８に記載の吸収性物品。
【請求項１０】
前記液体透過性トップシートと前記吸収性コアとの間に少なくとも部分的に配置される液体管理システムを含む、請求項１〜９のいずれか一項に記載の吸収性物品。
【請求項１１】
前記液体管理システムの一部が、前記液体透過性トップシートの一部内に又はそれを通って延在する、請求項１０に記載の吸収性物品。
【請求項１２】
前記液体透過性トップシートの一部が、前記液体管理システムの一部内に又はそれを通って延在する、請求項１０に記載の吸収性物品。
【請求項１３】
前記液体透過性トップシートが形態学的処理部を含む、請求項１〜１２のいずれか一項に記載の吸収性物品。
【請求項１４】
前記第１又は前記第２の実質的に移動可能な化学的処理部が、前記形態学的処理部の一部と重なり合う、請求項１３に記載の吸収性物品。
【請求項１５】
前記吸収性コアが、内部に画定されたチャネルを含んでおり、前記第１又は前記第２の実質的に移動可能な化学的処理部の一部が、前記チャネルの一部と重なり合う、請求項１〜１４のいずれか一項に記載の吸収性物品。
【請求項１６】
請求項１〜１５のいずれか一項に記載の複数の吸収性物品を含むパッケージであって、バッグ内スタック高さ試験による、約８０ｍｍ未満のバッグ内スタック高さを有する、パッケージ。
【発明の詳細な説明】
【技術分野】
【０００１】
本開示は、概して、個人衛生用吸収性物品を目的とする。本吸収性物品はそれぞれ、同じ又は異なる処理部を有するゾーンを含む、１つ以上の基材を備える。
【背景技術】
【０００２】
個人衛生用吸収性物品は、身体滲出物（例えば、尿、排便「ＢＭ」）を吸収及び収容するように設計されている。これらの吸収性物品は、例えば、トップシート、バックシート、及び他の層の中でトップシートとバックシートとの間に配置された吸収性コアなど、異なる機能を提供するいくつかの層を備え得る。
【０００３】
吸収性コアの機能は、身体滲出物を長時間、例えばおむつの場合は終夜、吸収及び保持すること、再湿潤を最小限に抑えて着用者を乾いた状態に維持すること、並びに衣類又はベッドシーツが汚れるのを回避することである。いくつかの現在販売されている吸収性物品は、吸収性ゲル化材料（ＡＧＭ）としても既知の、粉砕木材パルプ（すなわち、エアフェルト）と超吸収性ポリマー（「ＳＡＰ」）とのブレンドである、粒子形態の吸収性材料を含む吸収性コアを含むものである。他の吸収性物品は、吸収材料としてＳＡＰと、１つ以上のホットメルト接着剤と、から本質的になる吸収性コア（いわゆる「エアフェルトを含まない」コア）を有する。
【０００４】
吸収性物品はまた、捕捉層及び／又は分配層を有することができる液体管理システム（「ＬＭＳ」）を有することもできる。いくつかの吸収性物品は、液体及び他の身体滲出物の改良された封じ込めを提供するレッグカフ及び腰部バンドを備えてもよい。通常、各レッグカフは、吸収性物品が使用されている間、有効な封止をもたらすために、おむつのシャーシ、例えば脚部開口部の領域のトップシートとバックシートとの間に含まれる、１つ以上の弾性ストランド又は弾性要素を含む。吸収性物品のシャーシと実質的に平面であり得るこれらの弾性要素は、本明細書ではガスケットカフとも称される。また通常レッグカフは、立ち上がり弾性フラップを含み、本明細書ではバリアカフとも称され、脚部−胴部接合領域における流体の封じ込めを改善する。
【０００５】
おむつ（テープ式若しくはパンツ）又は成人用失禁製品などの吸収性物品は、前側領域及び後側領域又は他の領域が、機能又は外観のどちらかの意図された使用のためにも特に設計されていないという点で、トップシート及び／又はＬＭＳに欠点を有するように見える。大部分の市販のおむつ又は成人用失禁製品は、例えばトップシート又はＬＭＳの全体にわたって、特徴ゼロ（通常の不織布材料）、若しくは孔若しくはエンボス加工などの１つの特徴を有するトップシート及び／又は捕捉層を含む。エンボス加工又は孔は通常、前側領域及び後側領域で同一サイズ及び形状（同様に同じ外観）であり、したがってＢＭ管理と比べて尿管理の特定の構造を提供しない、又はＢＭ管理の外観と比べて尿管理の外観を与える特定の構造を提供しない。ＢＭ及び尿がレオロジー及び固形分において有意差を有するという事実により、改良されたおむつを提供するために、尿管理がＢＭ管理とは非常に異なって処理されなければならないという点で、これは問題であり得る。それは、画一的な状況ではない。前述したことを考慮すると、吸収性物品のトップシート及び／又はＬＭＳは改善されて、尿管理とＢＭ管理を別々に取り扱う、又は取り扱いの外観を与える、更なるゾーン処理部又は特徴を提供しなければならない。
【０００６】
上述に加えて通常の吸収性物品は、身体滲出物がトップシートによって収容されると、身体滲出物を取り扱う改善されたシステムを必要とする。一般的にいくつかの吸収性物品は、過度に急速に又は過度にゆっくりと身体滲出物を捕捉し、身体滲出物がコア内に吸収されない、又は完全に若しくは適切に吸収されないが故に、他の吸収性物品は漏れる可能性がある。したがって、トップシート及び／又はＬＭＳ内に、その上に及び／又はそれを通過して、身体滲出物の流れを導く又は変える（例えば、減速する、促進する、制限する、チャネルに送る）特徴を有することは、トップシート及び／又はＬＭＳに関して有益であり得る。このことは、例えば吸収性コア内により良好な身体滲出物（例えば、尿）分配を達成するために、望ましい場合がある。更なる例として、身体滲出物をコアが完全かつ適切に吸収することができるように、身体滲出物を吸収性コアの一部上に適切な期間保持することによって漏出の低減を達成するために、このことは更に望ましい場合がある。前述したことを考慮すると、トップシート又はＬＭＳは、身体滲出物のより良好な管理を提供するために改善されなければならない。
【発明の概要】
【課題を解決するための手段】
【０００７】
一形態では、本開示は、一部には、液体透過性トップシートと、液体不透過性バックシートと、液体透過性トップシートと液体不透過性バックシートとの間に少なくとも部分的に配置される吸収性コアと、を含む吸収性物品に関する。吸収性物品は、吸収性物品の着用者に面する表面の視覚的前部及び視覚的後部を画定する、実質的に横方向に延在する分離要素を含むことができる。液体透過性トップシートは、第１の幾何学的処理部を含む視覚的前部の第１ゾーンと、第２の幾何学的処理部を含む視覚的後部の第２ゾーンと、を有することができる。
【０００８】
一形態では、本開示は、一部には、液体透過性トップシートと、液体不透過性バックシートと、液体透過性トップシートと液体不透過性バックシートとの間に少なくとも部分的に配置される吸収性コアと、を含む吸収性物品に関する。吸収性物品は、前側領域及び後側領域を画定する横方向軸線を含む。液体透過性トップシートは、前側領域に少なくとも部分的に第１ゾーンを含む。第１ゾーンは、尿取り扱い用に構成された第１の形態学的処理部を含むことができる。液体透過性トップシートは、後側領域に少なくとも部分的に第２ゾーンを含む。第２ゾーンは、ＢＭ取り扱い用に構成された第２の形態学的処理部を含むことができる。第１ゾーン内の第１の形態学的処理部のパターンは、横方向軸線を中心として、第２ゾーン内の第２形態学的処理部のパターンと非対称又は対称でもよい。
【０００９】
一形態では、本開示は、一部には、液体透過性トップシートと、液体不透過性バックシートと、横方向軸線と、液体透過性トップシートと液体不透過性バックシートとの間に少なくとも部分的に配置される吸収性コアと、を含む吸収性物品に関する。液体透過性トップシートは、横方向軸線の第１の側に少なくとも部分的に配置される第１ゾーンと、横方向軸線の第２の側に少なくとも部分的に配置される第２ゾーンと、を含む。第１ゾーンは、孔試験による、約０．２ｍｍ２〜約１５ｍｍ２の範囲の有効孔面積を有する、その内部に画定された孔を有することができる。第１ゾーンは、孔試験による、約１５％〜約４０％の有効開口面積％を有することができる。第２ゾーンは、孔試験による、約０．０５ｍｍ２〜約２ｍｍ２の範囲の有効孔面積を有する、その内部に画定された孔を有することができる。第２ゾーンは、孔試験による、約２％〜約１５％の有効開口面積％を有することができる。第１ゾーンの孔は、第２ゾーンの孔より少なくとも約２５％大きくてもよい。
【００１０】
一形態では、本開示は、一部には、液体透過性トップシートと、液体不透過性バックシートと、横方向軸線であって、横方向軸線の第１の側の前側領域及び横方向軸線の第２の側の後側領域を画定する横方向軸線と、液体透過性トップシートと液体不透過性バックシートとの間に少なくとも部分的に配置される吸収性コアと、を含む吸収性物品に関する。液体透過性トップシートは、主に前側領域に位置し、かつ実質的に移動可能な化学的処理部を有する第１ゾーンと、主に後側領域に位置し、かつ実質的に移動可能な化学的処理部を有する第２ゾーンと、を含むことができる。実質的に移動可能な化学的処理部の坪量は、第２ゾーンが第１ゾーンより大きくてもよい。
【００１１】
一形態では、本開示は、一部には、液体透過性トップシートと、液体不透過性バックシートと、横方向に延在する分離要素であって、分離要素の第１の側の前側領域及び分離要素の第２の側の後側領域を画定する分離要素と、液体透過性トップシートと液体不透過性バックシートとの間に少なくとも部分的に配置される吸収性コアと、を含む吸収性物品に関する。液体透過性トップシートが、主に前側領域に位置し、かつ疎水性であり得る実質的に移動可能な化学的処理部を有する第１ゾーンと、主に後側領域に位置し、かつ第１の化学的処理部とは異なる親水性を有し得る実質的に移動可能な化学的処理部を有する第２ゾーンと、を含むことができる。
【００１２】
一形態では、本開示は、一部には、液体透過性トップシートと、液体不透過性バックシートと、液体管理システムと、液体管理システムと液体不透過性バックシートとの間に少なくとも部分的に配置される吸収性コアと、を含む吸収性物品に関する。液体管理システムは、液体透過性トップシートと吸収性コアとの間に少なくとも部分的に配置される。液体透過性トップシート及び液体管理システムは、吸収性物品の横方向軸線の第１の側の第１ゾーンと、横方向軸線の第２の側の第２のゾーンと、を含むことができる。液体管理システムの一部は、液体不透過性トップシートの一部内に若しくはそれを通って延在することができ、又は、液体不透過性トップシートの一部は、第１ゾーン内の液体管理システムの一部内に若しくはそれを通って延在することができる。液体管理システムの一部は、液体不透過性トップシートの一部内に若しくはそれを通って延在することができ、又は、液体不透過性トップシートの一部は、第２ゾーン内の液体管理システムの一部内に若しくはそれを通って延在することができる。第１ゾーン又は第２ゾーンは、実質的に移動可能な化学的処理部を含むことができる。
【００１３】
一形態では、本開示は、一部には、液体透過性トップシートと、液体不透過性バックシートと、液体透過性トップシートと液体不透過性バックシートとの間に少なくとも部分的に配置される吸収性コアと、を含む吸収性物品に関する。液体透過性トップシートは、流れ制御材料を含むことができる。流れ制御材料は、吸収性コアの少なくとも一部上に少なくとも大部分が封入された周辺部を形成することができる。流れ制御材料は、本明細書の流れ制御材料外向き延伸方法によって測定される、液体透過性トップシートから外向きに０．２ｍｍ未満で延在することができ、液体透過性トップシートの一部に入り込むことができる。
【００１４】
一形態では、本開示は、一部には、液体透過性トップシートと、液体不透過性バックシートと、横方向軸線であって、横方向軸線の第１の側の吸収性物品の前側領域及び横方向軸線の第２の側の吸収性物品の後側領域を画定する横方向軸線と、液体透過性トップシートと液体不透過性バックシートとの間に少なくとも部分的に配置される吸収性コアと、を含む吸収性物品に関する。液体透過性トップシートは、主に前側領域に位置し、かつ第１の流れ制御材料を有する第１ゾーンと、主に後側領域に位置し、かつ第２の流れ制御材料を有する第２ゾーンと、を含むことができる。第１の流れ制御材料は、第２の流れ制御材料と異なっていてもよい。
【００１５】
一形態では、本開示は、一部には、液体透過性トップシートと、液体不透過性バックシートと、液体管理システムと、液体管理システムと液体不透過性バックシートとの間に少なくとも部分的に配置される吸収性コアと、を含む吸収性物品に関する。液体管理システムは、液体透過性トップシートと吸収性コアとの間に少なくとも部分的に配置される。液体透過性トップシート又は液体管理システムは、尿若しくは糞便侵襲ゾーンに配置された、又はそれを取り囲む流れ制御材料を含むことができる。
【図面の簡単な説明】
【００１６】
添付図面と関連してなされる本開示の非限定的な例の以下の説明を参照すれば、本開示の上記の及び他の特徴と利点、並びにそれらを達成する方法がより明らかとなり、また本開示自体がより良好に理解されよう。
【図１】本開示による、いくつかの層を部分的に除去した吸収性物品の平面図である。
【図２】図１の線２−２周囲で取られた、本開示による吸収性物品の断面図である。
【図３】本開示による、吸収性物品に少なくとも部分的に流体が充満されている図２の吸収性物品の図である。
【図４】本開示による、いくつかの層を部分的に除去した別の吸収性物品の平面図である。
【図５】図４の線５−５周囲で取られた、本開示による吸収性物品の断面図である。
【図６】本開示による、いくつかの層を部分的に除去した、図４の吸収性物品の吸収性コアの平面図である。
【図７】図６の線７−７周囲で取られた、本開示による吸収性コアの断面図である。
【図８】図６の線８−８周囲で取られた、本開示による吸収性コアの断面図である。
【図９】本開示による、いくつかの層を部分的に除去した、図４の吸収性物品のＬＭＳの平面図である。
【図１０】図９の線１０−１０周囲で取られた、本開示による液体管理システムの断面図である。
【図１１】本開示による、吸収性コア及びＬＭＳ内のチャネルと、トップシートから伸びる実質的に横方向に延在する分離要素と、を有する吸収性物品の一部の例示の長手方向断面図である。
【図１２】本開示による、吸収性コア及びＬＭＳ内のチャネルと、トップシートから伸びる実質的に横方向に延在する分離要素と、を有する吸収性物品の一部の例示の長手方向断面図である。
【図１３】本開示による、吸収性コア及びＬＭＳ内のチャネルと、トップシートから伸びる実質的に横方向に延在する分離要素と、を有する吸収性物品の一部の例示の長手方向断面図である。
【図１４】本開示による、吸収性コア及びＬＭＳ内のチャネルと、トップシートから伸びる実質的に横方向に延在する分離要素と、を有する吸収性物品の一部の例示の長手方向断面図である。
【図１５】本開示による、２つのゾーンを有する例示のトップシート（トップシートに相互貫入する場合は更にＬＭＳ）を示しており、各ゾーンは１つ以上の処理部を有しているか又は処理部を有していない。
【図１６】本開示による、２つのゾーンを有する例示のトップシート（トップシートに相互貫入する場合は更にＬＭＳ）を示しており、各ゾーンは１つ以上の処理部を有しているか又は処理部を有していない。
【図１７】本開示による、２つのゾーンを有する例示のトップシート（トップシートに相互貫入する場合は更にＬＭＳ）を示しており、各ゾーンは１つ以上の処理部を有しているか又は処理部を有していない。
【図１８】本開示による、４つのゾーンを有する例示のトップシート（トップシートに相互貫入する場合は更にＬＭＳ）を示しており、各ゾーンは１つ以上の処理部を有しているか又は処理部を有していない。
【図１９】本開示による、４つのゾーンを有する例示のトップシート（トップシートに相互貫入する場合は更にＬＭＳ）を示しており、各ゾーンは１つ以上の処理部を有しているか又は処理部を有していない。
【図２０】本開示による、３つ以上のゾーンを有する例示のトップシート（トップシートに相互貫入する場合は更にＬＭＳ）を示しており、各ゾーンは１つ以上の処理部を有しているか又は処理部を有していない。
【図２０Ａ】本開示による、３つ以上のゾーンを有する例示のトップシート（トップシートに相互貫入する場合は更にＬＭＳ）を示しており、各ゾーンは１つ以上の処理部を有しているか又は処理部を有していない。
【図２１】本開示による、３つ以上のゾーンを有する例示のトップシート（トップシートに相互貫入する場合は更にＬＭＳ）を示しており、各ゾーンは１つ以上の処理部を有しているか又は処理部を有していない。
【図２１Ａ】本開示による、３つ以上のゾーンを有する例示のトップシート（トップシートに相互貫入する場合は更にＬＭＳ）を示しており、各ゾーンは１つ以上の処理部を有しているか又は処理部を有していない。
【図２１Ｂ】本開示による、３つ以上のゾーンを有する例示のトップシート（トップシートに相互貫入する場合は更にＬＭＳ）を示しており、各ゾーンは１つ以上の処理部を有しているか又は処理部を有していない。
【図２１Ｃ】本開示による、３つ以上のゾーンを有する例示のトップシート（トップシートに相互貫入する場合は更にＬＭＳ）を示しており、各ゾーンは１つ以上の処理部を有しているか又は処理部を有していない。
【図２２】本開示による、６つのゾーンを有するトップシート（トップシートに相互貫入する場合は更にＬＭＳ）の例であり、各ゾーンは１つ以上の処理部を有しているか又は処理部を有していない。
【図２３】本開示による、図２２の例示のトップシート（及びＬＭＳ）の写真である。
【図２４】本開示による、５つのゾーンを有するトップシート（トップシートに相互貫入する場合は更にＬＭＳ）の例であり、各ゾーンは１つ以上の処理部を有しているか又は処理部を有していない。
【図２５】本開示による、図２４の例示のトップシート（及びＬＭＳ）の写真である。
【図２６】本開示による、４つのゾーンを有するトップシート（トップシートに相互貫入する場合は更にＬＭＳ）の例であり、各ゾーンは１つ以上の処理部を有しているか又は処理部を有していない。
【図２７】本開示による、４つのゾーンを有するトップシート（トップシートに相互貫入する場合は更にＬＭＳ）の例であり、各ゾーンは１つ以上の処理部を有しているか又は処理部を有していない。
【図２８】本開示による、図２７の例示のトップシート（及びＬＭＳ）の写真である。
【図２９】本開示による、４つのゾーンを有するトップシート（トップシートに相互貫入する場合は更にＬＭＳ）の例であり、各ゾーンは１つ以上の処理部を有しているか又は処理部を有していない。
【図３０】本開示による、図２９の例示のトップシート（及びＬＭＳ）の写真である。
【図３１】本開示による、２つのゾーンを有するトップシート（トップシートに相互貫入する場合は更にＬＭＳ）の例であり、各ゾーンは１つ以上の処理部を有しているか又は処理部を有していない。
【図３２】本開示による、図３１の例示のトップシート（及びＬＭＳ）の写真である。
【図３３】本開示による、ゾーン別トップシートの例示のパターンである。
【図３４】本開示による、ゾーン別トップシートの例示のパターンである。
【図３５】本開示による、ゾーン別トップシートの例示のパターンである。
【図３６】本開示による、ゾーン別トップシートの例示のパターンである。
【図３７】本開示による、ゾーン別トップシートの例示のパターンである。
【図３８】本開示による、ゾーン別トップシートの例示のパターンである。
【図３９】本開示による、ゾーン別トップシートの例示のパターンである。
【図４０】本開示による、ゾーン別トップシートの例示のパターンである。
【図４１】本開示による、ゾーン別トップシートの例示のパターンである。
【図４２】本開示による、ゾーン別トップシートの例示のパターンである。
【図４３】本開示による、孔を含む幾何学的処理部の例である。
【図４４Ａ】本開示による、孔及びエンボス加工を含む、例示の幾何学的処理部である。
【図４４Ｂ】本開示による、トップシートの一部又は全部に使用するための例示の基材を示す。
【図４４Ｃ】本開示による、トップシートの一部又は全部に使用するための例示の布地基材を示す。
【図４４Ｄ】本開示による、トップシートの一部又は全部に使用するための例示のメッシュを示す。
【図４４Ｅ】本開示による、トップシートの一部又は全部に使用するための例示のフィルムを示す。
【図４４Ｆ】本開示による、トップシートの一部又は全部に使用するための例示のフィルムを示す。
【図４５】本開示による、エンボス加工を含む例示の形態学的処理部である。
【図４６Ａ】本開示による、エンボス加工を含む例示の形態学的処理部の図である。
【図４６Ｂ】本開示による、図４６Ａの形態学的処理部を有するトップシートの写真である。
【図４７】本開示による、エンボス加工を含む例示の形態学的処理部である。
【図４８】本開示による、エンボス加工を含む例示の形態学的処理部である。
【図４９】本開示による、エンボス加工を含む例示の形態学的処理部である。
【図５０】本開示による、パッカリング加工を含む形態学的処理部の例である。
【図５１】本開示による、折りたたみ加工を含む形態学的処理部の例である。
【図５２】本開示による、液体管理システムの一部が、液体透過性トップシート内に又はそれを通って延在する、例示の形態学的処理部の斜視図である。
【図５３】本開示による、図５２の円４３から取った分解斜視図である。
【図５４】本開示による、液体透過性トップシートの一部が、液体管理システム内に又はそれを通って延在する、例示の形態学的処理部の斜視図である。
【図５５】本開示による、図５４の円５５から取った分解斜視図である。
【図５６】本開示による、図５２及び図４４の形態学的処理部を作製するために使用したプロセスの斜視図である。
【図５７】本開示による、図５６のプロセスのロールの一部の係合の正面図である。
【図５８】本開示による、トップシートの形態学的処理部又は化学的処理部の写真である。
【図５９】本開示による、化学的処理部のパターンの図である。
【図６０】本開示による、トップシート上の図５９の化学的処理部のパターンの写真である。
【図６１】本開示による、化学的処理部のパターンの図である。
【図６２】本開示による、トップシート上の図６１の化学的処理部のパターンの写真である。
【図６３】本開示による、種々の処理部を有する種々のゾーンを有する例示の吸収性物品の図である。
【図６４】本開示による、種々の処理部を有する種々のゾーンを有する例示の吸収性物品の図である。
【図６４Ａ】本開示による、種々の処理部を有する種々のゾーンを有する例示の吸収性物品の図である。
【図６５】本開示による、種々の処理部を有する種々のゾーンを有する例示の吸収性物品の図である。
【図６６】本開示による、種々の処理部を有する種々のゾーンを有する例示の吸収性物品の図である。
【図６７】本開示による、種々の処理部を有する種々のゾーンを有する例示の吸収性物品の図である。
【図６８】本開示による、種々の処理部を有する種々のゾーンを有する例示の吸収性物品の図である。
【図６９】本開示による吸収性物品の例示のパッケージを示す。
【発明を実施するための形態】
【００１７】
本開示の種々の非限定的な実施形態は、本明細書で開示するゾーン処理部を備える基材を含む吸収性物品の構造、機能、製造及び使用の原理の全体的な理解を提供するために、ここで記載される。これらの非限定的な実施形態の１つ以上の例を、添付の図面に示す。本明細書で説明され、かつ添付図面に示されるゾーン処理部を備える基材を含む吸収性物品が非限定的な例示の実施形態であること、及び本開示の種々の非限定的な実施形態の範囲が特許請求の範囲によってのみ定義されることを、当業者は理解するであろう。１つの非限定的な実施形態に関して図示又は説明される特徴は、他の非限定的な実施形態の特徴と組み合わせることができる。かかる修正及び変形は、本開示の範囲内に含まれるものとする。
【００１８】
序論
本明細書で使用する場合、「吸収性物品」という用語は、乳児用おむつ、幼児用おむつ又は成人用おむつ、生理用ナプキン、成人用失禁製品、パンツ型おむつ、トレーニングパンツ、おむつインサートなど、着用者の身体に対して、又は着用者の身体に近接して配置されて、身体から排泄された身体滲出物（例えば、尿及びＢＭ）を吸収及び収容する使い捨て装置を指す。通常これらの物品は、トップシート、バックシート、吸収性コア、任意にＬＭＳ、及び通常は他の構成要素を含むと共に、吸収性コアは普通、バックシートとＬＭＳ（提供される場合）との間に、又はバックシートとトップシートとの間に少なくとも部分的に配置される。本開示の吸収性物品について、以下の説明にて及び図にて、テープ式おむつの形態で更に説明することにする。しかし、説明におけるいかなる内容も、特許請求の範囲を制限するものとみなされるべきではない。したがって本開示は、吸収性物品の任意の好適な形態（例えば、トレーニングパンツ、テープ式おむつ、テープ式又はパンツ型のいずれかの成人用失禁製品、生理用ナプキン）に適用される。
【００１９】
本明細書で使用する場合、「不織布ウェブ」という用語は、一方向に又は不規則に配向され、摩擦及び／又は粘着及び／又は接着により固着された繊維から作られたシート、ウェブ、又はバットを意味し、紙、及び更なるニードル加工の有無を問わず、結束糸若しくはフィラメントを組み込んだ織り製品、編み製品、タフト加工品、ステッチ結合製品、又は湿式粉砕によるフェルト製品は含まない。繊維は、天然由来のものであっても人工起源のものであってもよく、ステープル若しくは連続フィラメントであっても、又はその場で形成されたものであってもよい。市販の繊維は、約０．００１ｍｍ未満〜約０．２ｍｍ超の範囲の直径を有してもよく、短繊維（ステープル繊維又は細断繊維として知られる）、連続単繊維（フィラメント又はモノフィラメント）、連続フィラメントの無撚糸束（トウ）、及び連続フィラメントの撚糸束（ヤーン）などのいくつかの異なる形態によって提供され得る。不織布ウェブは、メルトブロー法、スパンボンド法、溶媒紡糸法、電界紡糸法、カーディング法、及びエアレイ法などの多くのプロセスにより形成され得る。不織布ウェブの坪量は通常、グラム毎平方メートル（ｇ／ｍ２又はｇｓｍ）で表される。
【００２０】
「接合した」又は「結合した」又は「付着した」という用語は、本明細書で使用する場合、ある要素を別の要素に直接貼り付けることによりその要素が別の要素に直接固定される構成と、ある要素を中間部材（複数を含む）に貼り付け、次に中間部材を他の要素に貼り付けることにより、その要素が別の要素に間接的に固定される構成とを包含する。
【００２１】
本明細書で使用する場合、「チャネル」という用語は、材料層の周囲材料よりも実質的に少ない坪量（例えば５０％未満、７０％未満、９０％未満）を有する、材料層の領域又はゾーンである。チャネルは、実質的に材料を含まない材料層内の領域であってもよい（例えば、９０％材料を含まない、９５％材料を含まない若しくは９９％材料を含まない、又は完全に材料を含まない）。チャネルは、１つ以上の材料層を通して延在し得る。チャネルは一般に、材料層の周囲領域よりも低い曲げ弾性率を有しており、このため材料層をより容易に折り曲げることができ、かつ／又は材料層の周囲領域よりもチャネル内により多くの身体滲出物を収容し得る。このためチャネルは、チャネルの領域において材料層の坪量を減らすことなく材料層内の単なる窪部にすぎない、というものではない。
【００２２】
本明細書で使用する場合、「幾何学的処理部」という用語は、任意の好適な寸法及び形状の孔である要素並びに／若しくは形態学的処理部を形成する要素を含む、単層基材若しくは多層基材の少なくとも一部又は領域を意味する。
【００２３】
本明細書で使用する場合、「形態学的処理部」という用語は、３次元形状、エンボス加工、別の層内への又はそれを通過する１つの層の相互浸透（例えば、ＬＭＳの１つ以上の層のトップシート内への、又はトップシートのＬＭＳの１つ以上の層内への）、面外隆起、面外畝、面外束、面外プリーツ、面外ひだ又は折り目を有する要素を含む、単層基材若しくは多層基材の少なくとも一部又は領域を意味する。形態学的処理部は、実質的に均一の平面基材を、第１の形態学的構成（一般に平坦かつ平ら）から別の形態学的構成（一般に平坦かつ平らでない）に変える。形態学処理部は、複数の要素により形成される。不明確さを避けるために記すと、形態学的処理部は孔を含まないが、孔あき材料に形態学的処理部を施すことができる。
【００２４】
本明細書で使用する場合、「化学的処理部」という用語は、少なくともその一部に適用される化合物、組成物若しくは物質を有する、単層基材若しくは多層基材の少なくとも一部又は領域を意味する。いくつかの例としては、１つ以上のスキンケア組成物、界面活性剤、インク、染料、顔料、親水性コーティング、疎水性コーティング、ローション、酵素阻害剤、ビタミン及び／又は活性成分がある。化学的処理部は、基材の少なくとも一部又は領域に噴霧される、印刷される、スロットコーティングされる、又は別の方法で塗布されることができる。
【００２５】
本明細書で使用する場合、「実質的に耐久性のある」という用語は、適用された化学的処理部の少なくとも９４％、少なくとも９５％、少なくとも９６％、少なくとも９７％、少なくとも９８％、少なくとも９９％又はそれ以上が、製造時点から意図される用途の通常期間を通して（例えば、吸収性物品が着用者に適用された時点から、吸収性物品が着用者から取り除かれて廃棄されるときまで）基材上に残る化学的処理部を意味する。
【００２６】
本明細書で使用する場合、「実質的に移動可能な」という用語は、適用された化学的処理部の少なくとも１０％、少なくとも２０％、少なくとも３０％、少なくとも４０％、少なくとも５０％、又は更には少なくとも６０％以上が、意図される用途の通常期間中（例えば、吸収性物品が着用者に適用された時点から、吸収性物品が着用者から取り除かれて廃棄されるときまで）着用者の皮膚に移動する化学的処理部を意味する。
【００２７】
本明細書で使用する場合、「親水性コーティング」という用語は、基材に適用されて、基材を親水性又はより親水性にする化学的処理部を意味する。
【００２８】
本明細書で使用する場合、「親水性」という用語は、Ｔｈｅ  Ａｍｅｒｉｃａｎ  Ｃｈｅｍｉｃａｌ  Ｓｏｃｉｅｔｙ  Ｐｕｂｌｉｃａｔｉｏｎ「Ｃｏｎｔａｃｔ  Ａｎｇｌｅ，Ｗｅｔｔａｂｉｌｉｔｙ，ａｎｄ  Ａｄｈｅｓｉｏｎ」（Ｒｏｂｅｒｔ  Ｆ．Ｇｏｕｌｄ編、１９６４年著作権取得）による、９０度以下の接触角を有する基材又は組成物を指す。
【００２９】
本明細書で使用する場合、「疎水性コーティング」という用語は、基材に適用されて、基材を疎水性又はより疎水性にする化学的処理部を意味する。
【００３０】
本明細書で使用する場合、「疎水性」という用語は、Ｔｈｅ  Ａｍｅｒｉｃａｎ  Ｃｈｅｍｉｃａｌ  Ｓｏｃｉｅｔｙ  Ｐｕｂｌｉｃａｔｉｏｎ「Ｃｏｎｔａｃｔ  Ａｎｇｌｅ，Ｗｅｔｔａｂｉｌｉｔｙ，ａｎｄ  Ａｄｈｅｓｉｏｎ」（Ｒｏｂｅｒｔ  Ｆ．Ｇｏｕｌｄ編、１９６４年著作権取得）による、９０度以上の接触角を有する基材又は組成物を指す。
【００３１】
本明細書で使用する場合、「流れ制御材料」という用語は、それを通して身体滲出物の流れを少なくとも部分的に制限する又は完全に制限する基材（例えば液体透過性トップシート）に、物質が適用される化学的処理部であり得る。流れ制御材料は、ワックス、インク（顔料を有する）、非粘着接着剤、ホットメルト接着剤、スキンケア組成物の実質的に耐久性のある成分、ポリオレフィン、高分子量のアルコール（スキンケア組成物の成分の一例）、又は、例えば２０℃で実質的に固体である他の組成物でもよい。流れ制御材料は、実質的に耐久性であり得る。流れ制御材料はまた、材料が基材（例えば、トップシート）に適用されて、次いでその材料及び基材が２つ以上のロールに通されて、流れ制御材料が溶融され、基材に接合する、結合する、又は付着されるときも含み得る。
【００３２】
本明細書で使用する場合、「活性成分」という用語は、化学、生化学及び／又は生物学的効果を有する−すなわち化学、生化学及び／若しくは生物学的反応、システム、プロセス又は平衡において、変化を生じさせる、開始する、又はもたらす、成分を意味する。これは、担体媒体、粘度調整剤、融解温度媒介物として、又は単に物理的な理由（すなわち充填剤）で、通常使用され得る不活性成分と対照をなすものである。
【００３３】
本明細書で使用する場合、「酵素阻害剤」という用語は、酵素と結合して、その活性を減少させる分子を意味する。
【００３４】
ゾーン処理部を有する基材の概説
本開示の吸収性物品は、１つ以上のゾーン、あるいは２つ以上のゾーン、あるいは３つ以上のゾーン、またあるいは４つ以上のゾーンなどを含む、１つ以上の単層基材又は多層基材を含む。基材の各ゾーンは、異なる処理部又は同じ処理部を有することができる。基材の１つ以上のゾーンは、処理部を全く有しなくてもよい。ゾーンのいくつか又は全てが、流れ制御材料（本明細書では一般に「処理部」と称され得る）を含んでもよく、またゾーンのいずれもが流れ制御材料を含まなくてもよい。ゾーンの各々は、ＢＭ及び尿のレオロジー及び固形分がまったく異なるという事実により、尿管理及びＢＭ管理をより良好にするために、異なる処理部を有しても、同じ処理部を有していもよい。あるいは、ゾーンの各々は、より良好な尿若しくはＢＭ管理の外観を提供するために、又は、着用者に装着されるときに吸収性物品の正しい向きに関して介護者又は着用者に手掛かりを提供するために、異なる処理部を有しても、同じ処理部を有してもよい。
【００３５】
基材は、例えば、液体透過性トップシート、液体透過性トップシート上に配置されるパッチ若しくは層、ＬＭＳの１つ以上の層及び／又は吸収性物品内の他の基材でもよい。１つの基材又は複数の基材（本明細書では同じ意味で使用される）におけるゾーンは、吸収性物品の前側領域及び／又は後側領域、吸収性物品の股部領域、横方向軸線若しくは長手方向軸線のいずれかの第１の側及び第２の側の吸収性物品の領域、実質的に横方向に延在する分離要素の同じ側又は異なる側の吸収性物品の領域、吸収性物品の他の領域全体に分散した及び／若しくは別様に吸収性物品の基材の領域全体に分散した吸収性物品の領域に、少なくとも部分的に形成されることができる。基材内の各ゾーンは、基材内の別のゾーンと、同じ若しくは異なる幾何学的処理部、形態学的処理部及び／又は化学的処理部（合わせて「処理部」とする）のうちの１つ以上を有することができる。「同じ」とは、例えば、処理部が同じタイプ（例えば、共にエンボス加工）のものであり、同じパターン、高さ、長さ、幅、サイズ、形状、頻度、及び他の寸法を有することを意味する。「異なる」とは、例えば、処理部が同じ（例えば、共にエンボス加工）であり得るが、パターン、高さ、長さ、幅、サイズ、形状、頻度、又は他の寸法が異なることを意味する。あるいは「異なる」とは、処理部が別の処理部と同じでない（例えば、１つの処理部は孔、及び別の処理部はエンボス加工）ことを意味し得る。このシナリオにおける処理部は「異なる」にもかかわらず、横方向軸線若しくは長手方向軸線を中心として、対称若しくは非対称のパターン、又は繰り返し若しくは非繰り返しのパターンを、あるいは吸収性物品の実質的に横方向に延在する分離要素を形成することができる。基材における１つ以上のゾーンは、基材における他のゾーンと重なり合っても、重なり合わなくても、一致しても、一致しなくてもよい。したがってゾーンは、互いに分離してもよい、又は互いに重なり合うことができる。同じ処理部若しくは異なる処理部を有するか、又は処理部を有しない任意の数のゾーンは、特定の基材に設けられてよい。基材は１つ以上の層を有することができ、種々の処理部は、それらの層のうちの１つ、全て、又は全てではないがいくつかに設けられてよい。
【００３６】
種々のゾーン、並びにそれらのゾーン内の処理部及び／又は流れ制御材料を論じる前に、吸収性物品の一般の議論が、本開示のゾーン処理部及び流れ制御材料の例示の状況を構成するために示される。
【００３７】
例示の吸収性物品の概説
おむつの形態で示される本開示による例示の吸収性物品２０を、図１〜３に表す。図１は、平らに広げた状態のおむつの平面図であり、着用者に面する表面を観察者に向けて、構造の一部分を切り欠き、おむつの構造をより明瞭に示している。このおむつは、本開示が広範囲に及ぶ様々なおむつ及び他の吸収性物品を製造するために使用され得るため、例示目的のみで示される。
【００３８】
吸収性物品は、液体透過性トップシート２４、液体不透過性バックシート２５、トップシート２４とバックシート２５との間に少なくとも部分的に配置された吸収性コア２８と、バリアレッグカフ３４とを含み得る。吸収性物品はまた、液体管理システム（「ＬＭＳ」）５０（図２に示す）を含むことができ、表示した例におけるＬＭＳ  ５０は、分配層５４及び捕捉層５２を含み、これらについては以下に更に詳細に論じる。様々な実施形態においては、捕捉層５２がむしろ身体滲出物を分配し、分配層５４がむしろ身体滲出物を捕捉する場合があり、又は両方の層が身体滲出物を分配及び／若しくは捕捉する場合がある。ＬＭＳ  ５０もまた、単一層として又は２つ以上の層として提供され得る。吸収性物品はまた、通常はトップシート及び／又はバックシートを介して吸収性物品のシャーシと接合し、かつおむつのシャーシと実質的に平面である弾性ガスケットカフ３２を含んでもよい。
【００３９】
図面はまた、吸収性物品２０の後縁部に向かって取り付けられ、かつ吸収性物品２０の前方でランディング領域４４と協働する、接着タブ４２又は他の機械的締結具を備える締結装置などのテープ式おむつの通常の構成要素を示す。吸収性物品また、例えば後側弾性腰部構造部及び前側弾性腰部構造部など、図示されていない他の通常の要素も含むことができる。
【００４０】
吸収性物品２０は、前側腰部縁部１０と、前側腰部縁部１０と長手方向に対向する後側腰部縁部１２と、第１の側縁部３と、第１の側縁部３と横方向に対向する第２の側縁部４とを含み得る。前側腰部縁部１０は、着用されるときユーザの前方に向かって置かれるように意図された吸収性物品２０の縁部であり、後側腰部縁部１２はその反対側の縁部である。吸収性物品２０が着用者に装着されるとき、前方腰縁部端１０及び後方腰縁部は一緒に、腰部開口部を形成する。この吸収性物品２０は、吸収性物品を平らに置き、図１のように着用者に面する表面から見ると、前側腰部縁部１０の横方向中点から吸収性物品２０の後側腰部縁部１２の横方向中点へと延在し、かつ、長手方向軸線８０に対して、吸収性物品２０を実質的に対称である２つの半分に分割している長手方向軸線８０を有し得る。吸収性物品は、第１側縁部３の長手方向中点から第２側縁部４の長手方向中点へと延びる横方向軸線９０を有することもできる。吸収性物品２０の長さＬは、前側腰部縁部１０から後側腰部縁部１２へと長手方向軸線８０に沿って測定され得る。吸収性物品２０の股幅は、第１の側縁部３から第２の側縁部４へと横方向軸線９０に沿って測定され得る。吸収性物品２０は、前側腰部領域５と、後側腰部領域６と、股部領域７と、を含み得る。前側腰部領域、後側腰部領域、及び股部領域は、それぞれ、吸収性物品の長手方向の長さの１／３を画定する。前部及び後部は、横方向軸線９０の両側に画定されることもできる。
【００４１】
トップシート２４、バックシート２５、吸収性コア２８、及び物品の他の構成要素は、様々な構成で、例えば、特に糊剤接着又は熱エンボス加工によって組み立てられ得る。例示のおむつの構成は、概して、米国特許第３，８６０，００３号、同第５，２２１，２７４号、同第５，５５４，１４５号、同第５，５６９，２３４号、同第５，５８０，４１１号、及び同第６，００４，３０６号に記述されている。
【００４２】
吸収性コア２８は、吸収性材料の重量を対して、７５重量％〜１００重量％、少なくとも８０重量％、少なくとも８５重量％、少なくとも９０重量％、少なくとも９５重量％、又は少なくとも９９重量％を含む吸収性材料、及び吸収性材料を包囲するコアラップを含むことができ、具体的には、上述の特定の範囲内及びその中で又はそれによって形成される全ての範囲内において、いずれも０．１％の増分が列挙される。コアラップは通常、コアの上側及び下側において、２つの材料、基材又は不織布材料１６及び１６’（図８を参照）を含むことができる。
【００４３】
吸収性コア２８は、１つ以上のチャネルを含むことができ、図１では４つのチャネル２６、２６’及び２７、２７’として表される。追加的に又は代替的に、ＬＭＳ  ５０は、図１〜３のチャネル４９、４９’として表すように１つ以上のチャネルを含んでもよい。いくつかの実施形態においては、ＬＭＳ  ５０のチャネルは、吸収性コア２８のチャネルと整列する、実質的に整列する、重なり合う、又は少なくとも部分的に重なり合うようにして、吸収性物品２０内に配置され得る。吸収性物品のこれらの及びその他の構成要素を、以下により詳細に論じる。
【００４４】
トップシート
トップシート２４は、着用者の皮膚と直接接する吸収性物品の一部である。トップシート２４は、当該技術分野で既知のように、バックシート２５、コア２８及び／又は他の任意の層に接合させることができる。通常、トップシート２４及びバックシート２５は、いくつかの箇所（例えば、物品の周辺部又はその近く）で互いに直接接合し、他の箇所では、吸収性物品２０の１つ以上の他の要素へこれらを直接接合することにより、共に間接的に接合している。
【００４５】
トップシート２４は、着用者の皮膚に対して柔軟であり、ソフトな感触であり、非刺激性であってよい。更にトップシート２４の少なくとも一部分は、液体透過性であり、液体がその厚さを通して容易に透過し得る。好適なトップシートは、例えば、多孔質発泡体、網状発泡体、孔あきプラスチックフィルム、又は、天然繊維（例えば木材繊維若しくは綿繊維）、合成繊維若しくは合成フィラメント（例えばポリエステル繊維若しくはポリプロピレン繊維若しくは２成分ＰＥ／ＰＰ繊維又はこれらの混合物）、若しくは天然繊維と合成繊維との組み合わせによる、織布又は不織布など、広範囲の材料から製造することができる。トップシート２４が繊維を含む場合、繊維は、スパンボンド法、カード加工法、ウエットレイド法、メルトブロー法、水流交絡法、又は当該技術分野において既知の別の方法、特にスパンボンドＰＰ不織布法で処理され得る。
【００４６】
典型的な吸収性物品のトップシートの坪量は、約５ｇｓｍ〜約５０ｇｓｍ、約１０〜約３５ｇｓｍ又は約１２〜約３０ｇｓｍであるが、他の坪量も本開示の範囲内である。
【００４７】
バックシート
バックシート２５は一般的に、吸収性コア２８の衣類に面する表面に隣接して配置され、その中に吸収して収容された排出物がベッドシーツ及び下着などの物品を汚すのを防止する又は少なくとも阻害する、吸収性物品２０の部分である。バックシート２５は、液体（例えば、尿、流れるＢＭ）に対して通常不透過性、又は少なくとも実質的に不透過性であるが、蒸気に対しては透過性であり、おむつが「呼吸」できるようになっている。バックシートは例えば、約０．０１２ｍｍ〜約０．０５１ｍｍの厚さを有する熱可塑性フィルムなどの薄いプラスチックフィルムであるか、又はそれを含んでもよい。例示的なバックシートフィルムとしては、Ｔｒｅｄｅｇａｒ  Ｃｏｒｐｏｒａｔｉｏｎ（Ｒｉｃｈｍｏｎｄ、ＶＡ）製のＣＰＣ２フィルムの商標名で販売されるものが挙げられる。他の好適なバックシート材料としては、吸収性物品２０から蒸気を逃す一方で、身体滲出物がバックシート２５を通過することを依然として防ぐか又は少なくとも阻害する、通気性材料を含んでもよい。例示の通気性材料としては、織布ウェブ、不織布ウェブ、フィルムコーティングされた不織布ウェブなどの複合材料、微小孔性フィルム、及びモノリシックフィルムなどの材料を挙げることができる。
【００４８】
バックシート２５は、当業者に既知の任意の取り付け方法によって、トップシート２４、吸収性コア２８、及び／又は吸収性物品２０の他の任意の要素に接合されてもよい。好適な付着方法について、トップシート２４を吸収性物品２０の他の要素に接合する方法に関して上述したとおりである。
【００４９】
吸収性コア
本明細書で使用する場合、「吸収性コア」という用語は、最大の吸収能力を有する吸収性物品の個々の構成要素を指し、吸収性材料を含む。吸収性コアは、吸収性材料を封じ込めるコアラップ又はコアバッグ（以下「コアラップ」とする）を含むことができる。「吸収性コア」という用語は、ＬＭＳ、又はコアラップの一体部分ではない若しくはコアラップ内に配置されない、吸収性物品の任意の他の構成要素を含まない。吸収性コアは、コアラップと、以下で定義される吸収性材料と、コアラップ内に封じ込まれる糊剤とを含む、それらから実質的になり得るか、又はそれらからなり得る。パルプ又はエアフェルトもコアラップ内に存在することができ、吸収性材料の一部を形成し得る。コアラップの周辺部であり得る吸収性コアの周辺部は、「Ｔ」字、「Ｙ」字、「砂時計」又は「ドッグボーン」の形状など、任意の好適な形状を画定し得る。一般的な「ドッグボーン」又は「砂時計」形状を有する吸収性コア周辺部は、その幅に沿って、コアの中央又は「股」領域に向かって先が細くなっていてもよい。このようにして、吸収性コアは、吸収性物品の股部領域内に置かれるように意図された吸収性コアの領域で、比較的狭い幅を有し得る。
【００５０】
本開示の吸収性コア２８は、コアラップ内に封入された多量の超吸収性ポリマー（本明細書では「ＳＡＰ」と略す）を有する吸収性材料を含んでもよい。ＳＡＰ含量は、コアラップに含まれている吸収性材料の７０重量％〜１００重量％、又は少なくとも７０重量％、７５重量％、８０重量％、８５重量％、９０重量％、９９重量％、又は１００重量％であり得る。本開示に有用なＳＡＰとしては、非水溶性であるが、大量の流体を吸収可能な種々の水膨潤性ポリマーを挙げることができる。コアラップは、吸収性コアのＳＡＰ％を評価する目的において、吸収性材料とはみなされない。コア２８の吸収性材料の残部は、エアフェルトでもよい。
【００５１】
「吸収性材料」とは、ＳＡＰ、セルロース繊維及び合成繊維などの、何らかの吸収特性、又は液体保持特性を有する材料を意味する。通常、吸収性コアの作製に使用する糊剤は、吸収特性を有さず、吸収性材料とはみなされない。ＳＡＰ含量は、上述のようにコアラップ内に含まれる吸収性材料の８０重量％超、例えば、少なくとも８５重量％、少なくとも９０重量％、少なくとも９５重量％、少なくとも９９重量％、及び最大１００重量％でもよい。これにより、通常４０〜６０％のＳＡＰと例えば大量のセルロース繊維又はエアフェルトとを含む従来のコアと比較して、相対的に薄いコアが得られる。吸収性材料は、１５重量％未満若しくは１０重量％未満の天然若しくは合成繊維を含み得る、５重量％未満、３重量％未満、２重量％未満、１重量％未満の天然及び／若しくは合成繊維を含み得るが、又は更には、天然及び／若しくは合成繊維を実質的に含まないか、若しくは含まない場合があり、具体的には、上述の特定の範囲内及びその中で又はそれによって形成される全ての範囲内において、いずれも０．１％の増分が列挙される。吸収性材料は、エアフェルト（セルロース）繊維をほとんど又はまったく含まなくてもよく、特に吸収性コアは、１５重量％未満、１０重量％未満、５重量％未満、３重量％未満、２重量％未満、１重量％未満のエアフェルト（セルロース）繊維を含んでもよく、又は更にはセルロース繊維を実質的に含まないか、若しくは含まない場合があり、具体的には、特定の範囲内及びその中又はそれによって形成される全ての範囲内において、いずれも０．１％の増分が列挙される。
【００５２】
図４及び図５の吸収性物品の例示の吸収性コア２８を、図６〜８に個別に示す。吸収性コア２８は、前側２８０、後側２８２、及び前側２８０と後側２８２を接合する２つの長手方向側２８４、２８６を含む。吸収性コア２８は、概ね平坦な上側及び概ね平坦な下側を含むこともできる。コア２８の前側２８０は、吸収性物品の前側腰部縁部１０に向けて配置されるように意図されるコア２８の側部である。コア２８は、図１に示すような平面図で上から見た場合、吸収性物品の長手方向軸線８０に実質的に対応する、長手方向軸線８０’を有することができる。特定の物品では、前側でより高い吸収性が要求され得るので、吸収性材料は、後側に向かうよりも前側に向かって、より多くの量が分配されてもよい。吸収性材料は、コアの任意の部分にわたって不均一の坪量又は均一の坪量を有し得る。コアラップは、吸収性コアの側部に沿って少なくとも部分的に封止され得る２つの不織布材料、基材、積層体、又は他の材料１６、１６’によって形成されてもよい。コアラップは、吸収性コアラップから漏出する吸収性材料が実質的にないように、その前側２８０、後側２８２、及び２つの長手方向側２８４、２８６に沿って少なくとも部分的に封止され得る。図７で示すように、第１の材料、基材、又は不織布１６は、第２の材料、基材、又は不織布１６’を少なくとも部分的に取り囲んで、コアラップを形成することができる。第１の材料１６は、第１側縁部２８４及び第２側縁部２８６に近接する、第２の材料１６’の一部を取り囲むことができる。
【００５３】
種々のコア設計を備える比較的多量のＳＡＰを含むコアは、米国特許第５，５９９，３３５号（Ｇｏｌｄｍａｎ）、欧州特許第１，４４７，０６６号（Ｂｕｓａｍ）、国際特許第９５／１１６５２号（Ｔａｎｚｅｒ）、米国特許公開第２００８／０３１２６２２Ａ１号（Ｈｕｎｄｏｒｆ）、及び国際特許第２０１２／０５２１７２号（Ｖａｎ  Ｍａｌｄｅｒｅｎ）に開示されている。
【００５４】
吸収性材料は、コアラップ内に存在する１つ以上の連続層であってもよい。あるいは吸収性材料は、コアラップ内に包まれる吸収性材料の個々のポケット又はストライプからなることができる。第１の事例において、吸収性材料は、例えば吸収性材料の単一の連続層を適用することによって得られてもよい。吸収性材料の、特にＳＡＰの連続層はまた、不連続的な吸収性材料適用パターンを有する２つ以上の吸収性層を組み合わせることによって得られてもよく、結果として得られる層は、例えば米国特許出願公開第２００８／０３１２６２２Ａ１号（Ｈｕｎｄｏｒｆ）で開示されるように、吸収性粒子状ポリマー材料領域の全体にわたって実質的に連続的に分配されている。吸収性コア２８は、第１の吸収層及び第２の吸収層を含むことができる。第１の吸収層は、第１の材料１６及び吸収性材料の第１の層６１を含むことができ、吸収性材料はＳＡＰ  １００％又はそれ以下でもよい。第２の吸収層は、第２の材料１６’及び吸収性材料の第２の層６２を含むことができ、吸収性材料はＳＡＰ  １００％又はそれ以下でもよい。吸収性コア２８は更に、吸収性材料６１、６２の各層を対応する材料１６又は１６’に少なくとも部分的に結合する、繊維状熱可塑性接着剤材料５１を含むことができる。これは、例えば図７〜８に示されており、第１及び第２のＳＡＰ層は、組み合わされる前にその対応する基材上の所望の吸収性材料の付着領域と同じ幅を有する、横方向ストライプ又は「ランド領域」として適用されている。ストライプは異なる量の吸収性材料（ＳＡＰ）を含み、コア８０の長手方向軸線に沿ってプロファイルされた坪量を提供することができる。第１の材料１６及び第２の材料１６’は、コアラップを形成できる。
【００５５】
繊維状熱可塑性接着剤材料５１は、ランド領域の吸収性材料６１、６２と少なくとも部分的に接触しており、かつ、接合領域の材料１６及び１６’と少なくとも部分的に接触していてもよい。このことは、それ自体が本質的に、長さ方向及び幅方向の寸法と比べて比較的薄い厚さの２次元構造である熱可塑性接着剤材料５１の繊維層に、本質的に３次元構造を付与する。それにより、繊維状の熱可塑性接着剤材料は、ランド領域において吸収性材料を被覆する空洞を提供することができ、それより吸収性材料を不動化するものであり、吸収性材料はＳＡＰ  １００％又はそれ以下であり得る。
【００５６】
コアラップ
コアラップは、吸収性材料の周囲で折り重ねられる単一の基材、材料、若しくは不織布で作製されもよい、又は互いに取り付けられている２つ（又はそれ以上）の基材、材料、又は不織布を含むことができる。典型的な付着は、いわゆるＣラップ及び／又はサンドイッチラップである。Ｃラップでは、例えば図２及び図７で示すように、基材の１つの長手方向縁部及び／又は横方向縁部が、他の基材の上に折りたたまれて、フラップを形成する。次にこれらのフラップは、他の基材の外面に、通常糊剤接着によって結合される。他の技術を用いてコアラップを形成してもよい。例えば、基材の長手方向縁部及び／又は横方向縁部が結合されて、次に吸収性コア２８の下で折り畳まれて、その場所で結合されてもよい。
【００５７】
コアラップは、吸収性コアの全ての面に沿って少なくとも部分的に封止されることができ、その結果、実質的に吸収性材料はコアから漏れない。「実質的に吸収性材料は漏れない」とは、吸収性材料の５重量％未満、２重量％未満、１重量％未満、又は約０重量％しか、コアラップから漏れないことを意味する。「封止」という用語は、広義に理解されるべきである。封止は、コアラップの周辺部全体に沿って連続的である必要はなく、線上に離間配置された一連の封止ポイントによって形成されるなど、その一部又は全体に沿って不連続であってもよい。封止は、糊剤接着及び／又は熱結合により形成されることができる。
【００５８】
コアラップは、小包のように吸収性材料を封入することができる単一の基材により形成されることもできて、かつ、コアの前面及び後面、並びに１つの長手方向封止に沿って封止されることもできる。
【００５９】
ＳＡＰ堆積領域
吸収性材料堆積領域８は、吸収性コアの上側から見たとき、コアラップ内で吸収性材料６０により形成される層の周辺部によって画定され得る。吸収性材料堆積領域８は種々の形状をとることができ、特に、コアの中央部又は「股部」領域に向かってその幅に沿って先が細くなっているのを示す、いわゆる「ドッグボーン」又は「砂時計」形をとることができる。このように吸収性材料堆積領域８は、図１に示されるように、吸収性物品の股部領域内に配置されるように意図されるコアの領域内においては、比較的狭い幅を有してもよい。これにより、より良好な着用感を提供し得る。更また、吸収性材料堆積区域８は、例えば図４〜図６に示すように一般的に矩形でもよいが、「Ｔ」字、「Ｙ」字、「砂時計」、又は「ドッグボーン」形状など他の堆積領域も本開示の範囲内である。
【００６０】
吸収性コア内のチャネル
吸収性材料の堆積領域８は、少なくとも１つのチャネル２６を含むことができ、それは少なくとも部分的に物品の長手方向８０に配向される（すなわち、長手方向のベクトル要素を有する）。他のチャネルは、横方向（すなわち、横方向のベクトル要素を有する）又は任意の他の方向に、少なくとも部分的に配向されることができる。以下、複数形の「チャネル」を用いて、「少なくとも１つのチャネル」を意味する。チャネルは、円形、楕円形、又は様々な他の閉多角形の形状であり得る。チャネルは、種々の方法で形成されることができる。例えばチャネルは、吸収性材料、特にＳＡＰを実質的に含まない、又は含まないものとなり得る吸収性材料の堆積領域８内のゾーンによって形成されてもよい。加えて又は別の方法としては、吸収性材料の堆積領域８を通してコアラップの上側をコアラップの下側に、連続的に又は不連続的に結合することによって、チャネルを形成することもできる。チャネルは、連続的でも断続的でもよい。また、液体管理システム５０又は吸収性物品の別の層がチャネルを含んでもよく、以下に詳細に示すように、吸収性コアのチャネルに対応しても、対応しなくてもよい。
【００６１】
吸収性コア２８は、２つ以上のチャネル、例えば、少なくとも３つ、少なくとも４つなどを含むこともできる。吸収性物品２０の前部に向かって図１の一対のチャネル２７、２７’によって示されているように、例えばコアの後側腰部領域６又は前側腰部領域５に、より短いチャネルが存在してもよい。チャネルは、対称的に配置された、又は長手方向軸線８０若しくは横方向軸線９０に対して配置された一対以上のチャネルを含むことができる。
【００６２】
少なくともチャネルの一部又は全部は、耐久性チャネルであってもよく、そのことは、それらの完全性が乾燥状態及び湿潤状態の両方で少なくとも部分的に保たれるということを意味する。耐久性チャネルは、例えばチャネルの壁内の吸収性材料と基材の接着を容易にする接着材料又は構築糊剤の繊維層など、１つ以上の接着材料を提供することにより得られてもよい。耐久性チャネルはまた、コアラップの上部と下部（例えば、第１基材１６と第２基材１６’）を結合することによって、及び／又はチャネルを通してトップシート２４をバックシート２５に結合することによって形成されてもよい。通常、チャンネルを介してコアラップの両側又はトップシート及びバックシートを結合するために接着剤が使用され得るが、圧力結合、超音波結合、熱結合又はこれらの組み合わせなど、他の既知の手段によっても結合され得る。コアラップ又はトップシート２４及びバックシート２５は、チャネルに沿って連続的に結合され得る、又は断続的に結合され得る。吸収性物品が流体で完全に充満される場合、チャネルは有利にも、少なくともトップシート及び／若しくはバックシートを通じて、依然として視認可能である、又は視認可能となり得る。このことは、湿潤したときにチャネルが膨張しないように、チャネルがＳＡＰを実質的に含まないようにすること、及び湿潤したときにチャネルが閉鎖しないように、チャネルを十分に大きくすることで実現し得る。更にコアラップをそれ自体に、又はチャネルを通してトップシートをバックシートに結合することも、有利であり得る。
【００６３】
チャネルを備えない吸収性コア及び／又はＬＭＳも、本開示の範囲内である。このようなコアは、エアフェルトを含まないコア、ＳＡＰ／パルプコア、パルプコア、又は当該技術分野で既知の他のコアを含むことができる。
【００６４】
バリアレッグカフ
吸収性物品は、一対のバリアレッグカフ３４を含むことができる。各バリアレッグカフは、物品に結合される材料片によって形成されることができ、そして、それは吸収性物品の着用者に面する表面から上向きに延びることができ、また、着用者の胴体と脚の接合部付近での流体及び他の身体滲出物の改良された封じ込めを提供できる。バリアレッグカフ３４は、直接又は間接的にトップシート２４及び／又はバックシート２５に接合される近位縁６４と、自由末端縁６６とによって画定されて、それは着用者の皮膚に接触しかつそれによる封止を形成するように意図される。バリアレッグカフ３４は、長手方向軸線８０の両側で吸収性物品の前方腰縁部１０と後方腰縁部１２の間に少なくとも部分的に延在して、股部領域に少なくとも存在する。バリアレッグカフ３４は、糊剤接着、溶融結合、又は他の好適な結合プロセスの組み合わせによってなされ得る結合部６５によって、近位縁６４で吸収性物品のシャーシと接合されることができる。近位縁６４での結合部６５は、連続的又は断続的でもよい。レッグカフ３４の隆起区間に最も近い結合部６５は、レッグカフの立ち上がり部の近位縁６４を画定する。
【００６５】
バリアレッグカフ３４は、トップシート２４若しくはバックシート２５と一体であってもよく、又は吸収性物品のシャーシに接合された別個の材料でもよい。バリアレッグカフ３４の材料は、おむつの全長を通って延在し得るが、これらの区間において、バリアレッグカフ材料がトップシート２４とぴったり重なり合ったままであるように、吸収性物品の前側腰部縁部１０及び後側腰部縁部１２に向かってトップシートに「粘着結合」され得る。
【００６６】
各バリアレッグカフ３４は、この自由末端縁６６に近接した、フィルム３５の１つ、２つ以上の弾性ストランド又はストリップを含み、より優れた封止をもたらし得る。
【００６７】
バリアレッグカフ３４に加えて、吸収性物品は、吸収性物品のシャーシに接合される、特にトップシート２４及び／又はバックシート２５に接合される、ガスケットカフ３２を含むことができ、バリアレッグカフ３４に対して外側に配置される。ガスケットカフ３２は、着用者の大腿の周りにより優れた封止をもたらすことができる。各ガスケットレッグカフは、脚部開口部の領域内のトップシート２４とバックシート２５の間で、吸収性物品のシャーシに１つ以上の弾性ストリング又は弾性要素を含むことができる。全ての若しくは一部のバリアレッグ及び／又はガスケットカフは、ローション又はスキンケア組成物で処理されることができる。バリアレッグカフは、米国特許出願公開第２０１２／０２７７７１３号に記載されるものを含む、多くの異なる構成で作製され得る。
【００６８】
前側耳部及び後側耳部
ある実施形態においては、吸収性物品は、前側耳部４６と後側耳部４０とを備え得る。耳部は、トップシート２４及び／又はバックシート２５からサイドパネルとして形成されるなど、シャーシと一体になった部分であってよい。あるいは図１に表すように、耳部（４６、４０）は、糊剤接着、熱エンボス加工、及び／又は圧力結合により付着される別個の要素であってもよい。後耳部４０は、ランディング領域４４へのタブ４２の付着を容易にし、かつテープ式おむつを着用者の腰部周辺の適切な位置に保持するために、伸縮性であり得る。また、後耳部４０は、弾性又は延伸性であってよく、延伸性耳部が吸収性物品の側部を伸縮させるため、先ず吸収性物品を着用者にぴったりと適合させて、続いて吸収性物品に液体又は他の身体滲出物が充填されてからかなり後でも着用期間中にこのフィット感を維持することによって、より快適かつ体型に合ったフィット感をもたらす。
【００６９】
液体管理システム（ＬＭＳ）
ＬＭＳ  ５０の１つの機能は、効率的な方法で流体を迅速に捕捉し、それを吸収性コアに分配することである。ＬＭＳ  ５０は１つ以上の層を備えてもよく、それらの層は一体の層を形成してもよく、あるいは互いに付着され得る個別の層として残っていてもよい。ＬＭＳ  ５０は２つの層、つまり吸収性コアとトップシートとの間に配置される分配層５４と捕捉層５２とを備えることができるが、本開示はこの構成に限定されない。
【００７０】
ＬＭＳ  ５０は、流体の捕捉及び分配を減速し得るために、ＳＡＰを含み得る。他の実施形態においては、ＬＭＳは、ＳＡＰを実質的に含まない（例えば、８０％、８５％、９０％、９５％、又は９９％含まない）か、又はＳＡＰをまったく含まない場合がある。ＬＭＳはまた、例えば、連続気泡発泡体、エアレイド繊維、又はカーディング樹脂接着不織布材料のような１つ以上の様々な他の好適な種類の材料を含み得る。好適なＬＭＳの例は、例えば、国際特許第２０００／５９４３０号（Ｄａｌｅｙ）、国際特許第９５／１０９９６号（Ｒｉｃｈａｒｄｓ）、米国特許第５，７００，２５４号（ＭｃＤｏｗａｌｌ）及び国際特許第０２／０６７８０９号（Ｇｒａｅｆ）に記載されている。
【００７１】
分配層
ＬＭＳ  ５０は、分配層５４を含んでもよい。分配層５４は、例えば少なくとも５０重量％以上の架橋セルロース繊維を含み得る。架橋セルロース繊維は、けん縮される、撚り合わせられるか、若しくは巻かれてもよく、又は、けん縮される、撚り合わせられる、及び巻かれることを含む、これらの組み合わせであり得る。この種類の材料は、米国特許公開第２００８／０３１２６２２  Ａ１号（Ｈｕｎｄｏｒｆ）に開示されている。
【００７２】
捕捉層
ＬＭＳ  ５０は、代替的に又は追加的に捕捉層５２を含んでもよい。捕捉層５２は、例えば分配層５４とトップシート２４の間に配置されてもよい。捕捉層５２は、スパンボンド、メルトブロー、及び更なるスパンボンド層若しくはそれとは別にカード加工された化学的に結合された不織布を含む、ＳＭＳ又はＳＭＭＳ材料などの不織布材料であってもよく、又はそれを含んでもよい。捕捉層５２は、エアレイド若しくはウエットレイドセルロース、架橋セルロース、若しくは合成繊維、又はこれらのブレンドを含んでもよい。捕捉層５２は、合成繊維のロールストックウェブ（固体形成によるなど、空隙を増加させるために処理され得る）、又は嵩高材料を形成するために結合された、合成繊維とセルロース繊維との組み合わせを含んでもよい。あるいは捕捉層５２は、吸収性連続気泡発泡体を含んでもよい。不織布材料は、ラテックス結合されてもよい。
【００７３】
液体管理システム内のチャネル
吸収性物品２０のＬＭＳ  ５０は、一般に、着用者の解剖学的構造に対して吸収性物品をより良好に一致させることが可能であるチャネルを含んでもよく、これによって動作の自由度が増し、間隙が減少する。ＬＭＳ  ５０の１つ以上のチャネルは、上述のように吸収性コア２８内の様々なチャネルと協調して作用するように構成されていてもよい。更にＬＭＳ  ５０内のチャネルは、吸収性物品内に、尿、ＢＭ又は他の身体滲出物を保持しかつ分配するために、空隙の増加を提供してもよく、これにより漏出及び皮膚への接触の低減をもたらす。ＬＭＳ  ５０内のチャネルはまた、特にテクスチャ、色及び／又はパターンの物理的相違を介して強調表示されるとき、内部に、吸収性物品を着用者に正しく整列させるのを容易に実現させるための役立つ目印を提供し得る。このため、こうした物理的相違は、例えば視覚的に及び／又は触覚的に顕著であってもよい。
【００７４】
吸収性コア２８内のチャネルと同様に、ＬＭＳ  ５０内のチャネルも、層内における任意の領域であってもよく、又は、２つ以上の層から延在していてもよく、上記「チャネル」の定義に記載のとおり、周囲材料よりも実質的に低い坪量又は厚さを有する。ＬＭＳ  ５０内のチャネルはまた、制御された屈曲を有効にする張力を低減させ、かつＬＭＳ  ５０を吸収性コア２８にごく近接させ保持するのに役立ち得る。このため、ＬＭＳ  ５０内にチャネルが存在することによって、それは下にある吸収性コア２８内の任意のチャネルと整列されていてもされていなくてもよいが、一般にヒンジとして機能することができ、より柔軟な複合構造が可能になる。例えばいくつかの場合には、ＬＭＳ  ５０のチャネルにより、ＬＭＳ  ５０が、制御された屈曲のあり方で、吸収性コア２８に向かって移動することを可能にし、これによってＬＭＳ  ５０と吸収性コア２８との間の分離が制限される。更にＬＭＳ  ５０内のチャネルは、流体又は他の身体滲出物を吸収性物品２０の１つの領域から吸収性物品２０の別の領域への経路を指定する補助をし得る。こうした経路の指定により、吸収性物品２０を介する流体の全体の分配が望ましく改善されることができ、かつ物品の快適性、耐久性又は寿命の向上に繋がり得る。
【００７５】
多層ＬＭＳでは、チャネルはＬＭＳ  ５０の１つ以上の層に存在してもよく、３つ全ての基準面で寸法が変化してもよい。ＬＭＳ  ５０内の所与のチャネル幅は、長手方向（すなわち、吸収性物品の長手方向軸線に実質的に平行な方向）において変動し得る。また、チャネルは、吸収性物品の横方向軸線又は横方向分離要素の前側で、横方向軸線又は横方向分離要素の後側とは異なる幅、長さ及び／又は容積を有し得る。ＬＭＳ  ５０のチャネルは、吸収性コア２８について既に説明したチャネルと同様に、ある範囲の幅、長さ、形状、容積及びパターンを有し得る。
【００７６】
ＬＭＳ  ５０中の１つ以上のチャネルは、吸収性コア２８内のチャネルと少なくとも部分的に重なり合ってもよく、又は完全に重なり合ってもよく、重なり合う領域ではより深い凹部が形成される。ＬＭＳ  ５０が２つ以上の層を備える実施形態においては、吸収性コア２８に最も近い層がチャネルを含むことができる。トップシート２４、捕捉層５２、分配層５４、又は他の層などの構造体内の１つ以上の層は、吸収性コア２８の要素にこの領域で結合されて、組み合わせたチャネルの深さを増大させることができる。ある実施形態においては、ＬＭＳ  ５０の捕捉層５２内のチャネル及び吸収性コア２８内のチャネルが、完全に重なり合うように一致する。別の実施形態では、ＬＭＳのチャネル及び貯蔵層のチャネルは、重なり合う領域を有しない。他の実施形態は、干渉域を包含する２つの層内のチャネル間に、チャネル同士が部分的に重なり合うような、垂直方向の重なり合いを有する。
【００７７】
再び図１〜５を参照すると、示した例のＬＭＳ  ５０が、２つのチャネル４９、４９’を画定していることが示されている。チャネル４９、４９’は、吸収性物品８０の長手方向に少なくとも部分的に配向されている（すなわち、長手方向ベクトル要素を有する）。ＬＭＳ内の他のチャネルは、横方向に（すなわち、横方向のベクトル要素を有する）又は任意の他の方向に、少なくとも部分的に配向されてもよく、かつＬＭＳ  ５０内のチャネルは、連続的であっても、断続的であってもよい。ＬＭＳ内のいくつかのチャネルは、円形、楕円形、正方形、矩形、三角形又は他の任意の好適な形状であってもよい。チャネルは、種々の方法で形成されることができる。例えばチャネルは、捕捉材料又は分配材料を実質的に含まない、又は含まなくてもよいＬＭＳ  ５０内のゾーンによって形成されていてもよい。
【００７８】
ＬＭＳ  ５０のチャネルは、長手方向に延在する２つのチャネル４９、４９’について図１に示すように、吸収性物品の横方向軸線９０と同じ長手方向の高さに少なくとも存在し得る。チャネルはまた、股部領域７から延在してもよく、又は吸収性物品の前側腰部領域５及び／若しくは後側腰部領域６に存在してもよい。図１でチャネル４９、４９’は、概ね、チャネル２６、２６’と一致し、チャネル２６、２６’は、吸収性物品２０の前側腰部縁部１０に向かって長手方向により長い長さを有する。
【００７９】
ＬＭＳ  ５０は、少なくとも１つ又は３つ以上のチャネルなど、任意の好適な数のチャネルを画定することができる。例えばＬＭＳ  ５０の後側腰部領域６又前側腰部領域５に、より短いチャネルが更に存在してもよい。ＬＭＳ  ５０のチャネルは、対称的に配置された、又は、長手方向軸線８０及び／若しくは横方向軸線９０又は他の横方向軸線に対して配置された、一対以上のチャネルを含んでもよい。チャネルは、実質的に長手方向に又は実質的に横方向に、延在することができる。
【００８０】
ＬＭＳ  ５０内のチャネルの少なくとも一部又は全てが耐久性チャネルであってもよく、そのことは、それらの完全性が乾燥状態及び湿潤状態の両方で少なくとも部分的に保たれるということを意味する。耐久性チャネルは、例えばチャネルの壁内の吸収性材料と基材の接着を容易にする接着材料又は構築糊剤の繊維層など、１つ以上の接着材料を提供することにより得られてもよい。また、耐久性チャネルは、ＬＭＳ  ５０のチャネルを介して、トップシート２４をバックシート２５と一緒に結合することによって形成されてもよい。通常、チャンネルを介してトップシート２４及びバックシート２５を結合するために接着剤が使用され得るが、圧力結合、超音波結合、熱結合又はこれらの組み合わせなど、他の既知の手段によって結合されてもよい。トップシート２４及びバックシート２５は、チャネルの一部若しくは全部に沿って、又はチャネルの一部若しくは全部内で、連続的に結合され得るか、又は断続的に結合され得る。
【００８１】
一実施形態において、図１を参照すると、ＬＭＳ  ５０は、少なくとも２つのチャネル（例えば、４９、４９’）を備え得る。これらのチャネルは、不織布材料若しくは架橋セルロース繊維を含まない、又は実質的に含まず（例えば、１０％未満、５％未満、３％未満、２％未満、又は１％未満）、少なくとも部分的に長手方向に配向されていてもよく、及び／又は少なくとも部分的に横方向に配向されていてもよい。
【００８２】
図４〜５の吸収性物品の例示のＬＭＳ  ５０は、図９〜１０に切り離して示されており、図１０は、図９の１０−１０線あたりで切り取ったＬＭＳ  ５０の断面図である。ＬＭＳ  ５０は、前側２８１と、後側２８３と、前側２８１及び後側２８３を結合する２つの長手方向側２８５、２８７とを含むことができる。ＬＭＳ  ５０はまた、概ね平坦な上側及び概ね平坦な下側を含むことができる。ＬＭＳの前側２８１は、吸収性物品の前側腰部縁部１０に向けて配置されるように意図されるＬＭＳの側部である。ＬＭＳ  ５０は、図１において示すような平面図で上から見た場合、吸収性物品の長手方向軸線８０に実質的に対応する長手方向軸線８０’’を有してもよい。図示された実施形態において、ＬＭＳ  ５０は、協働してチャネル４９、４９’を画定する、分配層５４と捕捉層５２とを備える。他の実施形態において、ＬＭＳ  ５０の一部の層がチャネルを画定することができ、その結果、ＬＭＳ  ５０の少なくとも１つの層は連続的であり、他方でＬＭＳ  ５０の他の層は不連続的である。
【００８３】
図１〜１０に示す吸収性コア２８のチャネル２６、２６’の一部及びＬＭＳ  ５０のチャネル４９、４９’は概ね位置合わせされるが、本開示はそれに限定されない。実際に、理解されるとおり、ＬＭＳ  ５０及び／又は吸収性コア２８におけるチャネルの特定の配置は、変化し得る。
【００８４】
実質的に横方向に延在する分離要素
吸収性物品の着用者に面する表面又はトップシートは、視覚的前部及び視覚的後部を有してもよい。視覚的前部及び視覚的後部は、実質的に横方向に延在する分離要素１００により分離されていてもよい。「実質的に横方向に」という用語は、横方向軸線に対して平行な方向から±１５度以内を意味する。実質的に横方向に延在する分離要素１００は、例えば、吸収性物品のトップシート、又は吸収性物品の他の層（例えばＬＭＳ  ５０）の上に印刷された、図形によるしるしであって、トップシートを通して視認可能なものであってよい。実質的に横方向に延在する分離要素１００はまた、トップシートの着用者に面する表面を通して見える、又はトップシートとは異なる色を有する下位層の端部で見える着色層の一部であってもよい。代替的に又は追加的に、視覚的前部は、色差及び／又は印刷パターンの差に基づいて、視覚的後部とは視覚的に異なっていてもよい。視覚的前部と視覚的後部との間のかかる視覚分離は、吸収性物品の適用中、吸収性物品の適正な位置合わせを助けることができ、また別々のゾーンの外観を、尿管理のために、別個にＢＭ管理のために構成するのに有効であり得る。
【００８５】
種々の形態において、実質的に横方向に延在する分離要素１００は、着用者の会陰部に概ね対応する吸収性物品の領域に位置する（すなわち、尿道及び肛門との間に配置される）構造的セパレータを含み得る。構造的セパレータにより、例えば、吸収性物品の背部への尿の表面移動及び吸収性物品の前部への糞便の表面移動が防止され得るか、又は少なくとも幾分か阻害し得る。構造的セパレータは、横断バリア若しくは横方向に延在するバリア（「ＴＶＢ」）として機能する任意の３次元的機構又は要素を含み得るが、それには、吸収性物品の着用者に面する表面の上方の１つ以上の突起部、着用者に面する表面の平面より下にある凹部、及びこれらの組み合わせが含まれ得る。一例としては、吸収性物品の着用者に面する表面に取り付けられ、かつバリアレッグカフにその端部を取り付けられた、実質的に横方向に配向されたウェブ又はシートが挙げられる。バリアレッグカフ及び着用者に面する表面への取り付けは、吸収性物品の前側領域及び後側領域に対する、ＴＶＢにより作成される「封止」を提供して、領域の間の身体滲出物の流れを防止するか、又は少なくとも阻害することができる。
【００８６】
構造的セパレータは、平らな水平表面上に、弛緩され、収縮した状態で平たく広げたとき、矩形又は正方形であってもよい。また構造的セパレータは、平らな水平表面上に、弛緩され、収縮した状態で平たく広げたとき、台形であってもよい。構造的セパレータは、疎水性であってもよい（例えば、親水性であり、かつ疎水性コーティングにより疎水性にされたものであってもよく、例えば、ワックス又は１つ以上のシリコーンポリマー若しくはフッ素化ポリマーを含む疎水性表面コーティングである）。構造的セパレータは、横方向又は他の方向に著しく弾性的延伸性であり得るように、弾性挙動を有し得る。構造的セパレータは、吸収性物品の着用中、一定の張力を有して、構造的セパレータがＺ方向の寸法を有する有効なセパレータ（バリア）を確実に形成することができ、構造セパレータの背面から前側に糞便が移動するのを回避するか、又は少なくとも阻害することができる。他の構造セパレータは、トップシートの立ち上がり部若しくは厚みのある部分、ＬＭＳ若しくは吸収性コアの要素、別々に適用した要素、又は１つ以上の吸収性コア要素又はＬＭＳの穴若しくは凹部を含んでもよい。
【００８７】
上述に加えて、構造的セパレータは、任意の好適な構造を有してもよく、例えば、隆起部、突出部又はフラップであってもよい。構造的セパレータの形態で、実質的に横方向に延在する分離要素１００の構造のいくつかの例示の断面図が、図１１〜１４に示されている。他の任意の好適な構造的セパレータも、本開示の範囲内にある。構造的セパレータは、吸収性物品の横方向軸線に沿って配置されてもよく、又は横方向軸線に対して傾斜したある角度で配置されてもよい。構造的セパレータは、横方向軸線に沿っていない他の位置（例えば、横方向軸線の前又は横方向軸線の後の位置）に置かれることもできる。１つ以上の構造的セパレータは、種々の構造を有する吸収性物品内に組み込まれることができる。好適な構造的セパレータ及び実質的に横方向に延在する分離要素は、例えば、２０１３年８月２７日出願の米国特許仮出願第６１／８７０，３６５号（Ｐ＆Ｇ整理番号１２６９６ＰＱ）に更に詳細に開示されている。
【００８８】
トップシート及び／又はＬＭＳなどの基材は、例えば、基材の異なる領域又はエリアに１つ以上のゾーンを有することができる。トップシート及び／又はＬＭＳのゾーンのいくつかの例示の構造が、図１５〜図３２に示されている。種々の図において、ゾーンはＺ１〜Ｚ６と表示されているが、任意の数の構造、形状、及び／又はサイズを有する、任意の数のゾーンを有することも本開示の範囲内である。トップシート２４は図１５〜図１９で矩形様に示されている一方で、例えば、砂時計形状など、トップシートを吸収性物品の任意の好適な形状にすることも本開示の範囲内である。トップシート２４の着用者に面する表面は、図１５〜図３２の観察者に向いている。適用される場合、図１５〜図３２の全体にわたって、要素１００は実質的に横方向に延在する分離要素であり、要素９０は吸収性物品の横方向軸線であり、要素８０は吸収性物品の長手方向軸線であり、Ｆは吸収性物品の前側を表し、Ｂは吸収性物品の後側を表す。各図には示されていないが、横方向軸線及び長手方向軸線は、図１５〜図３２の全てにおいて明らかである。
【００８９】
後述する全てのゾーンにおいて、特定の処理部は特定のゾーンについて指定されることができるが、ゾーンはまた１つ以上の他の処理部又は流れ制御材料を含むこともできることは理解されるであろう。例えば、特定の形態学的処理部が特定のゾーンで指定されている場合、下記の例示の各ゾーンにおいて特に記載がないにもかかわらず、別の形態学的処理部及び／又は別の化学的処理部又は幾何学的処理部がまた同じゾーン又はその部分に提供され得る。ゾーンはまた、任意の好適な寸法及び／又は形状を有することができ、下で示される例によっても制限されない。
【００９０】
図１５を参照すると、トップシート２４は、吸収性物品の前側の第１ゾーンＺ１、及び少なくとも部分的に吸収性物品の後側の第２ゾーンＺ２を有する。ゾーンＺ１は、実質的に横方向に延在する分離要素１００（例えば、凹部、隆起部分、構造的セパレータ、印刷された線又はグラフィック）の第１の側に配置されており、ゾーンＺ２は、実質的に横方向に延在する分離要素１００の第２の側に配置される。ゾーンＺ１及びＺ２は両方とも長手方向軸線８０に重なり合うことができ、ゾーンＺ２のみが横方向軸線９０に重なり合うことができる。他の場合では、ゾーンＺ１のみが横方向軸線９０に重なり合うことができる。図１５の例において、実質的に横方向に延在する分離要素１００は、任意であり得る。第１ゾーンＺ１及び第２ゾーンＺ２はそれぞれ、任意の数の幾何学的処理部、形態学的処理部、化学的処理部及び／又は流れ制御材料を含むことができ、又は、ゾーンＺ１又はゾーンＺ２のうちの一方又はその部分は、処理部又は流れ制御材料をまったく含まなくてもよい。ゾーンＺ１又はゾーンＺ２の一方又は両方は、孔を含むことができる。
【００９１】
図１５を再度参照すると、実質的に横方向に延在する分離要素１００は、視覚的前部及び視覚的後部をそれらのいずれかの側に画定することができる。視覚的前部はゾーンＺ１を含み、視覚的後部はゾーンＺ２を含む。ゾーンＺ１は第１の幾何学的処理部を含むことができ、ゾーンＺ２は第２の幾何学的処理部を含むことができる。第１の幾何学的処理部及び第２の幾何学的処理部は、同じであっても、異なってもよい。第１の幾何学的処理部及び第２の幾何学的処理部は、深さ、長さ、頻度、サイズ、形状、パターン、寸法及び／又は構造において、異なる要素を含むことができる。第１の幾何学的処理部及び第２の幾何学的処理部のいずれかは、孔又は形態学的処理部を含むことができる（例えば、図５２及び図５４を参照）。孔は、処理部のいずれかにおいて、異なっていても、同じであってもよい。形態学的処理部は、同じであっても、異なっていてもよい。トップシート２４は、ゾーンＺ１又はＺ２のいずれかに第３の幾何学的処理部Ｚ３（破線で示す）を含むことができる。吸収性コア及び／又は液体管理システムの一部は、その内部に画定された１つ以上のチャネルＣを有することができる。ゾーンＺ１及び／又はＺ２の一部は、チャネルの少なくとも一部に若しくはその全てに重なり合ってもよいか、又は重なり合わなくてもよい。
【００９２】
図１５を再度参照すると、トップシート２４は、少なくとも部分的に前側領域（すなわち、横方向軸線９０の第１の側）のゾーンＺ１、及び少なくとも部分的に後側領域（すなわち、横方向軸線９０の第２の側）のゾーンＺ２を含むことができる。ゾーンＺ１は尿取り扱い用に構成された第１の形態学的処理部を含むことができ、ゾーンＺ２はＢＭ取り扱い用に構成された第２の形態学的処理部を含むことができる。ゾーンＺ１における第１の形態学的処理部のパターンは、横方向軸線９０に関して、ゾーンＺ２における第２の形態学的処理部のパターンに非対称であっても対称であってもよい。Ｚ１及びＺ２のいずれかは、その内部に画定された孔を有し得る。孔は任意の好適な有効孔面積を有することができ、トップシート２４は、種々のゾーンに任意の好適な開口面積％を有することができる。第１及び第２の形態学的処理部は、例えば、本明細書の図５２又は図５４に示されるものであり得る。ゾーンＺ１又はＺ２の一方又は両方が、化学的処理部又は第３の形態学的処理部を含むことができる。ゾーンＺ１の面積は、ゾーンＺ２の面積より小さくても、大きくてもよい。ゾーンＺ１は、横方向軸線９０に平行な方向で測定される、少なくとも３０ｍｍ又は少なくとも４０ｍｍの寸法を有することができ、ゾーンＺ２は、横方向軸線９０に平行な方向で測定される、少なくとも３０ｍｍ又は少なくとも４０ｍｍの寸法を有することができる。図１５に示されていないが、吸収性物品は、バリアレッグカフ及び腰部縁部を含むことができる。
【００９３】
更に図１５を参照すると、ゾーンＺ１は、実質的に移動可能な化学的処理部を含むことができ、ゾーンＺ２は、実質的に移動可能な化学的処理部を含むことができる。実質的に移動可能な化学的処理部は、同じであっても、異なってもよい。ゾーンＺ２における実質的に移動可能な化学的処理部の坪量は、ゾーンＺ１における実質的に移動可能な化学的処理部より大きくても、少なくても、実質的に同じでも、同じでもよい。実質的に移動可能な化学的処理部は、スキンケア組成物又はＢＭ非付着性ローションを含むことができる。ゾーンＺ１又はＺ２の少なくとも一方は、実質的に耐久性のある化学的処理部を含むこともできる。実質的に耐久性のある化学的処理部は、例えば、顔料又はインクを含むことができる。ゾーンＺ１及びＺ２（又はＺ３）は、１つ以上の形態学的又は幾何学的処理部を含むこともできる。化学的処理部は、形態学的又は幾何学的処理部と重なり合ってもよく、又は重なり合わなくてもよい。ゾーンＺ１又はＺ２は、実質的に移動可能である又は実質的に耐久性のある、少なくとも第３の化学的処理部（例えば、図１５のＺ３）を含むことができる。化学的処理部のいずれかは、１つ以上のチャネルＣの少なくとも一部又はその全部に重なり合うことができる。他の場合において、種々の化学的処理部は、チャネルＣのいずれとも重なり合わなくてもよい。ゾーンＺ１における実質的に移動可能な化学的処理部は疎水性でもよく、ゾーンＺ２における実質的に移動可能な化学的処理部は異なる親水性を有することができる。ゾーンＺ１における実質的に移動可能な化学的処理部は、ゾーンＺ２における実質的に移動可能な化学的処理部よりも、より親水性又はより疎水性であり得る。他の場合では、ゾーンＺ２における実質的に移動可能な化学的処理部は、疎水性であっても親水性であってもよい。実質的に移動可能な化学的処理部は、１つ以上の形態学的処理部（例えば本明細書の図５２及び図５４を参照）又は１つ以上の幾何学的処理部と重なり合っても、重なり合わなくてもよい。
【００９４】
更に図１５を参照すると、ゾーンＺ１は、実質的に耐久性のある化学的処理部を含むことができ、ゾーンＺ２は、実質的に耐久性のある化学的処理部を含むことができる。実質的に耐久性のある化学的処理部は、同じであっても、異なってもよい。ゾーンＺ２における実質的に耐久性のある化学的処理部の坪量は、ゾーンＺ１における実質的に耐久性のある化学的処理部より大きくても、少なくても、同じでもよい。ゾーンＺ１又はＺ２の一方、両方がまた、実質的に移動可能な化学的処理部を含むこともできる。
【００９５】
他の場合において、ゾーンＺ１又はＺ２のうちの一方は、実質的に耐久性のある化学的処理部を含み、ゾーンの他方は、実質的に移動可能な化学的処理部を含むことができる。
【００９６】
図１６を参照すると、トップシート２４は、吸収性物品の前側の第１ゾーンＺ１及び吸収性物品の後側の第２ゾーンＺ２を有する。ゾーンＺ１は、実質的に横方向に延在する分離要素１００の第１の側に配置されており、ゾーンＺ２は、実質的に横方向に延在する分離要素１００の第２の側に配置される。図１６の例では、実質的に横方向に延在する分離要素１００は、任意であり得る。ゾーンＺ１及びＺ２は両方とも長手方向軸線８０に重なり合ってもよく、またゾーンＺ１及びＺ２のいずれも横方向軸線９０に重なり合わなくてもよい。他の場合では、ゾーンＺ１のみ又はゾーンＺ２のみが、横方向軸線９０に重なり合うことができる。第１ゾーンＺ１及び第２ゾーンＺ２は、任意の数の幾何学的処理部、形態学的処理部、化学的処理部及び／又は流れ制御材料を含むことができ、あるいは、ゾーンＺ１若しくはゾーンＺ２のうちの一方又はその部分は、処理部又は流れ制御材料をまったく含まなくてもよい。ゾーンＺ１又はゾーンＺ２のいずれかはまた、孔を含むこともできる。
【００９７】
図１７を参照すると、トップシート２４は、吸収性物品の前部の複数の要素を含む第１ゾーンＺ１と、吸収性物品の後部の複数の要素を含む第２ゾーンＺ２と、を有する。ゾーンＺ１は、実質的に横方向に延在する分離要素１００の第１の側に配置されており、ゾーンＺ２は、実質的に横方向に延在する分離要素１００の第２の側に配置される。図１７の例で、実質的に横方向に延在する分離要素１００は、任意であり得る。第１ゾーンＺ１の要素は横方向軸線９０又は長手方向軸線８０に重なり合わず、第２ゾーンＺ２の要素のいくつかは長手方向軸線にのみ重なり合う。いずれかのゾーンの要素のうちの少なくともいくつかは、軸線８０又は軸線９０のうちの一方に重なり合うことも、重なり合わないことも、本開示の範囲内である。ゾーンＺ１及びＺ２を形成する要素は、複数の孔を含むことができる。ゾーンＺ１における孔は、ゾーンＺ２における孔より小さくてもよく、逆もまた同様である。ゾーンＺ１におけるより小さな孔は、尿管理用に構成され得るものであり、ゾーンＺ２におけるより大きな孔は、ＢＭ管理用に構成され得るものである。例示の有効孔面積及び例示の有効開口面積％が、本明細書に記載されている。第１ゾーンＺ１及び第２ゾーンＺ２の孔は概ね卵形状として示される一方で、それらは、任意の好適な寸法、形状及び／又はパターンを有することができる。他の場合において、ゾーンＺ１及び／又はＺ２を形成する要素は孔を形成しなくてもよく、その代わりに、それらは１つ以上の他の処理部及び／又は流れ制御材料を含むことができる。
【００９８】
図１８を参照すると、トップシート２４は、吸収性物品の前側部分の複数の要素を含む第１ゾーンＺ１と、吸収性物品の後側部分の複数の要素を含む第２ゾーンＺ２と、を有する。トップシート２４はまた、吸収性物品の前側の第３ゾーンＺ３、及び吸収性物品の後側の第４ゾーンＺ４を有する。ゾーンＺ１及びＺ３は、実質的に横方向に延在する分離要素１００の第１の側及び横方向軸線９０の第１の側に配置されており、ゾーンＺ２及びＺ４は、実質的に横方向に延在する分離要素１００の第２の側及び横方向軸線９０の第２の側に配置される。第１ゾーンＺ１及び第２ゾーンＺ２の要素は、横方向軸線９０又は長手方向軸線８０に重なり合わず、第３ゾーンＺ３及び第４ゾーンＺ４の要素は、横方向軸線９０に重なり合わないが、長手方向軸線には重なり合う。ゾーンのいずれか（又はゾーンを形成する要素）が軸線８０又は軸線９０のうちの一方に重なり合うことも、重なり合わないことも、本開示の範囲内である。ゾーンＺ１は、孔であるか又は別の処理部又は流れ制御材料を含む、複数の要素を含むことができる。ゾーンＺ４は、例えば、１つの大きな孔、エンボス加工、又は化学的処理部若しくは流れ制御材料など他の処理部を含むことができる。ゾーンＺ１における孔は、ゾーンＺ４における孔より小さくてもよい。ゾーンＺ１におけるより小さな孔は、尿管理用に構成され得るものであり、ゾーンＺ４におけるより大きな孔はＢＭ管理用に構成され得るものである。ゾーンＺ３はゾーンＺ１の少なくとも一部に重なり合う一方で、ゾーンＺ２及びＺ４は他のいかなるゾーンとも重なり合わない。ゾーンの例のいずれかで、種々のゾーンのうちのいずれかが互いに重なり合う又は重なり合わないことも、本開示の範囲内である。
【００９９】
図１９を参照すると、トップシート２４は、吸収性物品の前側部分の複数の要素を含む第１ゾーンＺ１と、少なくとも部分的に吸収性物品の後側部分の複数の要素を含む第２ゾーンＺ２と、を有する。トップシート２４は、吸収性物品の前面の第３ゾーンＺ３、及び吸収性物品の後面の少なくとも部分的に第４ゾーンＺ４を有する。ゾーンＺ１及びＺ３は、実質的に横方向に延在する分離要素１００の第１の側に配置されており、ゾーンＺ２及びＺ４は、実質的に横方向に延在する分離要素１００の第２の側に配置される。第１ゾーンＺ１及び第２ゾーンＺ２は長手方向軸線８０に重なり合わず、第２ゾーンＺ２及び第４ゾーンＺ４は横方向軸線９０に重なり合う。第４ゾーンＺ４は、横方向軸線９０及び長手方向軸線８０に重なり合う。ゾーンのいずれかは、軸線８０若しくは軸線９０のうちの一方に重なり合うことも、重なり合わないことも、本開示の範囲内である。ゾーンＺ１の要素は、孔であっても、孔でなくてもよい。ゾーンＺ３はゾーンＺ１の少なくとも一部に重なり合う一方で、ゾーンＺ４はゾーンＺ２の少なくとも一部に重なり合う。
【０１００】
図２０を参照すると、吸収性物品のトップシート２４は、４つのゾーン、Ｚ１〜Ｚ４を備えて示されている。ゾーンＺ１〜Ｚ４は、任意の数の幾何学的処理部、形態学的処理部及び／又は化学的処理部、若しくは流れ制御材料を含むことができるか、あるいは、ゾーンのうちの１つ以上、又はその部分は、処理部又は流れ制御材料をまったく含まなくてもよい。ゾーンＺ３は、深いエンボス線を含むことができる。ゾーンＺ１は、形態学的処理部（例えば図５２又は図５４参照）及び／又は印刷されたパターンを含むことができる。ゾーンＺ２は、形態学的処理部（例えば図５２又は図５４参照）を含むことができる。ゾーン４は、処理部を含まなくてもよく、又は流れ制御材料を含んでもよい。ゾーンＺ３はまた、吸収性物品の吸収性コアの少なくとも一部の上に、閉じた周辺部を少なくとも部分的に形成する、流れ制御材料を含むことができる。
【０１０１】
図２０Ａを参照すると、吸収性物品のトップシート２４は、５つのゾーン、Ｚ１〜Ｚ５を備えて示されている。ゾーンＺ１及びＺ５は、形態学的処理部（例えば図５２又は図５４参照）を含むことができる。ゾーンＺ２は、例えば、尿用の流れ制御材料を含むことができる。流れ制御材料は、トップシート２４内に完全に閉じた周辺部を形成できる。ゾーンＺ３は、形態学的処理部（例えば図５２又は図５４）、印刷されたパターン、及び／又は流れ制御材料を含むことができる。ゾーンＺ４は、例えば、トップシート２４内に部分的に閉じた周辺部を形成し得るＢＭ用の流れ制御材料を含み得る。ゾーンのいずれかはまた、１つ以上の追加の処理部及び／又流れ制御材料を含むこともできる。
【０１０２】
図２１を参照すると、トップシート２４を含む吸収性物品は、４つのゾーン、Ｚ１〜Ｚ４を備えて示されている。ゾーンＺ１は、印刷されたドットの化学的処理部及び／又は孔の幾何学的処理部を含むことができる。ゾーンＺ２は、印刷された菱形の化学的処理部及び／又はパッカリング加工の形態学的処理部を含むことができる。ゾーンＺ２はまた、孔を含むことができる。ゾーンＺ３は、処理部を有してもよく、又は有しなくてもよい。ゾーンＺ４は、トップシート内にかつ吸収性コアの一部上に、完全に閉じた連続的周辺部を形成する、流れ制御材料を含むことができる。図示してはいないが、ゾーンＺ４の閉じた周辺部はまた、不連続であり得るか、又は吸収性コアの一部の上に、少なくとも大部分が閉じた周辺部を形成するだけであり得る。
【０１０３】
図２１を参照すると、トップシート２４を含む吸収性物品は、５つのゾーン、Ｚ１〜Ｚ５を備えて示されている。ゾーンＺ１は、疎水性スキンケア組成物を含むことができる。ゾーンＺ２は、形態学的処理部（例えば図５２又は図５４参照）を含むことができる。ゾーンＺ３は、形態学的処理部（例えば図５２又は図５４参照）を含むことができる。ゾーンＺ４は、ゾーンＺ１のスキンケア組成物と比べて疎水性の高い又は低いスキンケア組成物を含むことができる。ゾーンＺ５は、エンボス加工された８の字様形状、及び／又は閉じた連続的周辺部を形成する流れ制御材料を含むことができる。連続的周辺部は、１つ以上の尿及び／又はＢＭ侵襲ゾーン（例えば、ゾーンＺ１及びＺ３）を取り囲むことができる。図示されないが、周辺部は不連続であり、かつ少なくとも大部分が閉じていてもよい。ゾーンのいずれかはまた、１つ以上の追加の処理部及び／又流れ制御材料を含むこともできる。吸収性物品は、所望により横方向の分離要素ＬＳＥを含むことができる。
【０１０４】
図２１Ｂを参照すると、トップシート２４を含む吸収性物品は、３つのゾーン、Ｚ１〜Ｚ３を備えて示されている。ゾーンＺ１は、形態学的処理部（例えば図５２又は図５４を参照）を含んで、排尿事象中及びその後に、吸収性と乾燥状態を提供することができる。ゾーンＺ２は、形態学的処理部（例えば図５２又は図５４を参照）を含んで、ＢＭの広がりを少なくとも阻止することができる。ゾーンＺ３は、流れ制御材料を含むことができる。流れ制御材料は、２つの身体滲出物の受容ゾーン周辺に、閉じた周辺部を形成することができる。流れ制御材料は、連続的又は不連続的であり得る。ゾーンのいずれかはまた、１つ以上の追加の処理部及び／又流れ制御材料を含むこともできる。吸収性物品は所望により、横方向の分離要素（図示せず）を含むことができる。
【０１０５】
図２１Ｃを参照すると、トップシート２４を含む吸収性物品は、４つのゾーン、Ｚ１〜Ｚ４を備えて示されている。ゾーンＺ１は、孔を有する幾何学的処理部を含むことができる、又は形態学的処理部を含むことができる。ゾーンＺ１の有効開口面積％は、約５％〜約２０％又は約１０％であり得る。ゾーンＺ２は、孔を有する幾何学的処理部を含むことができる、又は形態学的処理部を含むことができる。ゾーンＺ２の有効開口面積％は、約１５％〜約５０％又は約３０％であり得る。ゾーンＺ３は、非付着性ローションを含むことができる。ゾーンＺ４は、形態学的処理部を含んでもよく、かつ／又は流れ制御材料を含んでもよい。ゾーンのいずれかはまた、１つ以上の追加の処理部及び／又流れ制御材料を含むこともできる。吸収性物品は所望により、横方向の分離要素（図示せず）を含むことができる。
【０１０６】
図２２を参照すると、トップシート２４を含む吸収性物品は、６つのゾーンを備えて示されている。ゾーンＺ１は、エンボス加工された深い線、印刷された線、流れ制御材料及び／又は他の処理部を含むことができる。ゾーンＺ２〜Ｚ５はそれぞれ、任意の数の化学的、幾何学的及び／若しくは形態学的処理部を含んでもよく、又は処理部を全く含まなくてもよい。いくつかのゾーンは、弓状の形状を形成することができる。
【０１０７】
図２３は、図２２の例示のトップシートに類似するトップシートを含む、実際の吸収性物品の写真である。
【０１０８】
図２４を参照すると、トップシート２４を含む吸収性物品は、４つのゾーンを備えて示されている。ゾーンＺ１は、流れ制御材料を含むことができる。ゾーンＺ２は、エンボス加工パターン若しくは印刷パターン及び／又は１つ以上の幾何学的処理部を含むことができる。ゾーンＺ３は、エンボス加工及び／又は流れ制御材料を含むことができる。ゾーンＺ４は、１つ以上の処理部及び／又は流れ制御材料を有しても有しなくてもよい。ゾーンＺ１〜Ｚ４のいずれかは、１つ以上の化学的処理部又は他の処理部を有することができる。
【０１０９】
図２５は、ゾーン分けされたトップシートを含む、実際の吸収性物品の写真である。トップシートは、エンボス加工の少なくとも２つのゾーンを有しており、また他の処理部を有することができる。
【０１１０】
図２６を参照すると、トップシート２４を含む吸収性物品は、３つのゾーンを備えて示されている。ゾーンＺ１は、第１のパターンを有するエンボス加工又は他の処理部を含むことができ、ゾーンＺ２は、異なるパターンを有するエンボス加工又は他の処理部を含むことができ、及びゾーンＺ３は、１つ以上の処理部を含んでもよく、又は含まなくてもよい。物品はまた、実質的に横方向に延在する分離要素も含むことができる。
【０１１１】
図２７を参照すると、トップシート２４を含む吸収性物品は、４つのゾーンを備えて示されている。ゾーンＺ１及びＺ２はそれぞれ、印刷された小さなドットの化学的処理部を含んでもよく、又はそれぞれ孔を含んでもよい。ドット及び／又は孔は、同一サイズ又は異なるサイズでもよい。ゾーンＺ１及びＺ２における処理部は、同じでも、異なってもよい。ゾーンＺ３は、ゾーンＺ１及びＺ２におけるドット又は孔より大きな印刷されたドット又は孔の化学的処理部を含むことができる。ゾーンＺ４は、折り目線、エンボス加工された線、印刷された線、流れ制御材料又は別の処理部を含むことができる。折り目線は、トップシートの一部から形成されてもよく、又はトップシートに付着する別個の材料でもよい。
【０１１２】
図２８は、図２７の例示のトップシートにいくらか類似するトップシートを含む、実際の吸収性物品の写真である。
【０１１３】
図２９を参照すると、トップシート２４を含む吸収性物品は、３つのゾーンを備えて示されている。ゾーンＺ１は、印刷された小さなドットの化学的処理部を含んでもよく、又は孔を含んでもよい。ゾーンＺ２は、エンボス加工された線、印刷された線、又は別の処理部を含むことができる。ゾーンＺ３は、エンボス加工された線、印刷された線、又は別の処理部を含むことができる。ゾーンＺ４は、印刷された小さなドット又は孔を含むことができる。
【０１１４】
図３０は、図２９の例示のトップシートに類似しているトップシートを含む、実際の吸収性物品の写真である。
【０１１５】
図３１を参照すると、トップシート２４を含む吸収性物品は、２つのゾーンを備えて示されている。ゾーンＺ１は、スリットを含むことができる。ゾーンＺ２は、折り目、エンボス加工された線、印刷された線を含んでもよく、又は処理部を含まなくてもよい。ゾーンの一方又は両方はまた、印刷などの化学的処理部を含むこともできる。プリーツが、２層トップシート内に形成されてもよい。第１層が第２層に付着される前に又はその後に、第１層は、ロータリーダイを用いてスリットを入れられることができる。第１層は、スリットに沿って徐々に第２層に高圧結合されてもよい。結合箇所Ｓは、スリットのいずれかの側に第１層の一部を含むことができ、その部分を第２層に付着し得る。
【０１１６】
図３２は、図３１の例示のトップシートに類似しているトップシートを含む、実際の吸収性物品の写真である。
【０１１７】
図３３〜４２は、吸収性物品における、トップシート又はその部分のデザインの例である。デザインは、１つ以上のパターンをなす幾何学的、形態学的及び／又は化学的処理部を含むことができる。デザインは、少なくとも大部分が閉じられた周辺部用であり得る又はあり得ない、流れ制御材料を含むこともできる。パターンは、トップシートの長さ全体又は長さの一部にわたって変化してもよい。トップシートの前部はＦと標示されており、トップシートの後部はＢと標示されている。トップシートは矩形又は他の任意の好適な形状であることができて、その上に又はその内部にデザインを有することができる。処理部は、例えば、エンボス加工、印刷された図画、流れ制御材料、及び／若しくは孔、又はこれらの組み合わせであり得る。図４０〜４２は、少なくとも大部分が閉じられた周辺部を形成し、かつ不連続である１つ以上の流れ制御材料を含む、デザインを示す。図４０は、それぞれが少なくとも大部分が閉じられた周辺部を形成し、かつ両方とも不連続である２つの流れ制御材料を示しているが、その一方又は両方が連続的であってもよい。
【０１１８】
図１５〜図４２に示されるゾーンを備える種々の基材（例えば、トップシート）に示すように、ゾーンは、種々の構造、サイズ及び形状を取ることができ、ゾーン又はその一部は、化学的、幾何学的及び／若しくは形態学的処理部を含むことができる、又は、特定のゾーンは処理部を全く含まなくてもよい。ゾーン又はその一部は、流れ制御材料を含むことができる。種々の処理部は、下記に更に詳細に説明される。孔は、打抜き、スリット付け、ハイドロフォーミング、又は過剰結合その後のリングロール加工を介して作成され得る。３Ｄ構造は、ＳＥＬＦｉｎｇ、ＩＰＳ又はｒＩＰＳなど種々の固体形成技術によって形成されていてもよい。
【０１１９】
幾何学的処理部
いくつかの例示の幾何学的処理部を、ここで図を参照して述べる。「幾何学的処理部」という語句は、形態学的処理部及び孔を含むので、ここでは孔についてのみ論じられるが、後述する形態学的処理部もまた、幾何学的処理部の定義に従って「幾何学的処理部」という語句の範囲に含まれることは理解されるであろう。
【０１２０】
図４３〜４４Ｆは、孔を有する幾何学的処理部を含む、例示の基材（例えば、トップシート又はその一部）を示す。図４３は、その内部に画定された孔を有する２７ｇｓｍの不織布ウェブを示しており、一方で図４４Ａは、内部に画定された孔を有する１８ｇｓｍの２成分不織布ウェブを示す。幾何学的処理部の孔は、任意の好適な寸法、形状、構造及び／又はパターンを有することができる。孔は、一般的に当該技術分野において既知の任意の穿孔プロセス、例えば、過剰結合及び過剰結合を破壊させるためのリングロール並びにピンホールによって、形成されることができる。孔は、互いに対して均一に離間配置されても、又は不均一に離間配置されてもよい。更に、各ゾーンの孔は、同じゾーン又は異なるゾーンにおいて、同じサイズ又は異なるサイズでもよい。図１７〜１９、２１、２１Ａ、及び２７〜３０は、他の図の中でも、トップシート又は他の基材に孔を含む、幾何学的処理部の種々の非限定的な例を示す。図４４Ｂは、トップシートの一部又は全部を使用するための例示の基材を示す。図４４Ｃは、トップシートの一部又は全部を使用するための例示の布地基材を示す。図４４Ｄは、トップシートの一部又は全部を使用するための例示のメッシュ基材を示す。図４４Ｅは、トップシートの一部又は全部を使用するための例示のフィルムを示す。図４４Ｆは、トップシートの一部又は全部を使用するための例示のフィルムを示す。
【０１２１】
図４４Ｂの例示の基材は、約０．５ｍｍ２〜約１０ｍｍ２、約１ｍｍ２〜約８ｍｍ２、約１ｍｍ２〜約６ｍｍ２、約１ｍｍ２〜約５ｍｍ２、約１ｍｍ２〜約３ｍｍ２、約１．５ｍｍ２〜約２．５ｍｍ２、約１．９ｍｍ２、約２．０ｍｍ２、約２．１ｍｍ２、又は約２．０１１ｍｍ２の範囲の有効孔面積（下記の孔試験による）を有してもよく、具体的には、上述の特定の範囲内及びその中で又はそれによって形成される全ての範囲において、いずれも０．１ｍｍ２の増分が列挙される。図４４Ｂの例示の基材は、約５％〜約４０％、約１０％〜約３０％、約１５％〜約２５％、約１６％〜約２０％、約１７％、約１８％、又は約１９％の範囲の有効開口面積％（下記の孔試験による）を有してもよく、具体的には、上述の特定の範囲内及びその中で又はそれによって形成される全ての範囲内において、いずれも０．１％の増分が列挙される。
【０１２２】
図４４Ｃの例示の布地基材は、約３ｍｍ２〜約３０ｍｍ２、約６ｍｍ２〜約２０ｍｍ２、約８ｍｍ２〜約１４ｍｍ２、約９ｍｍ２〜約１３ｍｍ２、約１０ｍｍ２〜約１２ｍｍ２、約１１ｍｍ２〜約１２ｍｍ２、約１１．１ｍｍ２、約１１．２ｍｍ２、又は約１１．１１ｍｍ２の範囲の有効孔面積（下記の孔試験による）を有してもよく、具体的には、上述の特定の範囲内及びその中で又はそれによって形成される全ての範囲内において、いずれも０．１ｍｍ２の増分が列挙される。図４４Ｃの例示の基材は、約１５％〜約５５％、約２０％〜約４５％、約２５％〜約４５％、約３０％〜約４０％、約３５％、約３４％、又は約３４．７％の範囲の有効開口面積％（下記の孔試験による）を有してもよく、具体的には、上述の特定の範囲内及びその中で又はそれによって形成される全ての範囲内において、いずれも０．１％の増分が列挙される。
【０１２３】
図４４Ｄの例示のメッシュ基材は、約０．２ｍｍ２〜約４ｍｍ２、約０．５ｍｍ２〜約３ｍｍ２、約０．５ｍｍ２〜約３ｍｍ２、約０．５ｍｍ２〜約２ｍｍ２、約０．５ｍｍ２〜約１．５ｍｍ２、約０．８ｍｍ２〜約１．３ｍｍ２、約０．９ｍｍ２、約１ｍｍ２約１．１ｍｍ２、約１．２ｍｍ２、又は約１．０１８ｍｍ２の範囲の有効孔面積（下記の孔試験による）を有してもよく、具体的には、上述の特定の範囲内及びその中で又はそれによって形成される全ての範囲内において、いずれも０．１ｍｍ２の増分が列挙される。図４４Ｄの例示の基材は、約２０％〜約９０％、約３０％〜約８０％、約５０％〜約８０％、約５０％〜約７０％、約５５％〜約７０％、約６０％、約６３．９％、又は約６５％の範囲の有効開口面積％（下記の孔試験による）を有してもよく、具体的には、上述の特定の範囲内及びその中で又はそれによって形成される全ての範囲内において、いずれも０．１％の増分が列挙される。
【０１２４】
図４４Ｅの例示のフィルムは、約０．１ｍｍ２〜約２ｍｍ２、約０．１ｍｍ２〜約１．５ｍｍ２、約０．３ｍｍ２〜約１ｍｍ２、約０．４ｍｍ２〜約０．９ｍｍ２、約０．４ｍｍ２〜約０．７５ｍｍ２、約０．５ｍｍ２、約０．５０８ｍｍ２、約０．５１ｍｍ２、又は約０．５２ｍｍ２の範囲の有効孔面積（下記の孔試験による）を有してもよく、具体的には、上述の特定の範囲内及びその中で又はそれによって形成される全ての範囲内において、いずれも０．１ｍｍ２の増分が列挙される。図４４Ｅの例示のフィルムは、約５％〜約５０％、約１０％〜約３５％、約１０％〜約３５％、約１０％〜約３０％、約１２％〜約２５％、約１５％、約１８％、約１８．２％、又は約１９％の範囲の有効開口面積％（下記の孔試験による）を有してもよく、具体的には、上述の特定の範囲内及びその中で又はそれによって形成される全ての範囲内において、いずれも０．１％の増分が列挙される。
【０１２５】
図４４Ｆの例示のフィルムは、約０．１ｍｍ２〜約２ｍｍ２、約０．１ｍｍ２〜約１．５ｍｍ２、約０．３ｍｍ２〜約１ｍｍ２、約０．４ｍｍ２〜約０．９ｍｍ２、約０．４ｍｍ２〜約０．７５ｍｍ２、約０．４ｍｍ２、約０．４８６ｍｍ２、又は約０．５ｍｍ２の範囲の有効孔面積（下記の孔試験による）を有してもよく、具体的には、上述の特定の範囲内及びその中で又はそれによって形成される全ての範囲内において、いずれも０．１ｍｍ２の増分が列挙される。図４４Ｆの例示のフィルムは、約３％〜約３５％、約３％〜約２０％、約３％〜約１５％、約５％〜約１３％、約６％、約１１％、約８％、約８．７％、又は約９％の範囲の有効開口面積％（下記の孔試験による）を有してもよく、具体的には、上述の特定の範囲内及びその中で又はそれによって形成される全ての範囲内において、いずれも０．１％の増分が列挙される。
【０１２６】
吸収性物品のトップシートは、横方向軸線の第１の側又は実質的に横方向に延在する分離要素の第１の側に配置された少なくとも第１ゾーン、及び横方向軸線の第２の側又は実質的に横方向に延在する分離要素の第２の側に配置される、２つ以上のゾーンを含むことができる。第１ゾーンは、下記の孔試験による、約０．２ｍｍ２〜約１５ｍｍ２の範囲の有効孔面積を有することができる、内部に画定された孔を有してもよく、具体的には、上述の特定の範囲内及びその中で又はそれによって形成される全ての範囲内において、いずれも０．１ｍｍ２の増分が列挙される。第１ゾーンは、下記の孔試験による、約１５％〜約４０％の範囲の有効開口面積を有することができ、具体的には、上述の特定の範囲内及びその中で又はそれによって形成される全ての範囲内において、いずれも０．１％の増分が列挙される。第２ゾーンは、下記の孔試験による、約０．１ｍｍ２〜約２．０ｍｍ２、約０．０５ｍｍ２〜約２ｍｍ２、約０．５ｍｍ２〜約２ｍｍ２、又は約１．０ｍｍ２の範囲の有効孔面積を有することができる、内部に画定された孔を有してもよい。第２ゾーンは、下記の孔試験による、約２％〜約１５％の範囲の有効開口面積％、具体的には、上述の特定の範囲内及びその中で又はそれによって形成される全ての範囲内において、いずれも０．１％の増分が列挙される。第１ゾーンの孔は、第２ゾーンの孔より大きくてもよく（例えば、１５〜３５％超又は２５％超）、その結果、第１ゾーンはＢＭ管理用に構成され、かつ第２ゾーンは尿管理用に構成される。第１ゾーン及び第２のゾーンのいずれかは、１つ以上の化学的処理部及び／又は１つ以上の形態学的処理部を含むことができる。形態学的処理部は、第１ゾーン及び／若しくは第２ゾーンの一部又は全部に存在してよい。吸収性物品はまた、バリアレッグカフ及び腰部縁部を含むこともできる。
【０１２７】
幾何学的処理部の任意の孔は、チャネルのいずれかのセットが提供されている場合、液体管理システム５０内のチャネル（例えば、４９、４９’）若しくは吸収性コア２８内のチャネル（例えば、２６、２６’、２７、２７’）の一部及び／若しくは全部に、重なり合っても、重なり合わなくてもよい。
【０１２８】
形態学的処理部
種々の形態学的処理部は、トップシート２４、ＬＭＳ５０、又は他の基材の種々のゾーンに存在してよい。図４５〜５０は、種々の形態学的処理部を示す。図４５は、エンボス加工されたパターンを示す。図４６Ａは、図４６Ｂに示すエンボス加工のパターンを図示したものである。図４７は、別のエンボス加工されたパターンを示している。図４８は、基材が穿孔された、別のエンボス加工されたパターンを示す。図４９は、別のエンボス加工されたパターンを示す。図５０は、パッカリングされた領域を含む例示の形態学的処理部を示す。パッカリングされた領域は、２層トップシート内に形成されてもよい。接着剤、又はパターン付き接着剤は、第１の層と第２の層との間に存在することができる。第１の層はエンボス加工されて、パッカリングされた領域の形状を得て、次いでパターン付き接着剤を使用して第２の層に付着されてもよい。図５１は、折り目線を含む例示の形態学的処理部を示している。折り目線は、トップシートに付着された基材によって形成され得る。他の形態学的処理部は、トップシートの図２０〜図３２の少なくとも一部に示されている。形態学的処理部の要素は、任意の好適なサイズ、形状、寸法、頻度、構造、及び／又はパターンを有することができる。形態学的処理部は、当業者に既知の任意の好適なプロセスによって形成され得る。各形態学的処理部の要素は、互いに対して均一に離間配置されても、又は不均一に離間配置されてもよい。更に、各ゾーンの形態学的処理部の要素は、同一でも、異なってもよい。１つのゾーンの又は複数のゾーンの形態学的処理部の要素は、パターン、深さ、幅、長さ、及び／又は頻度が異なっても、同一でもよい。形態学的処理部を有する１つのゾーンは、形態学的処理部を有する別のゾーンと、吸収性物品の横方向軸線、長手方向軸線、又は実質的に横方向に延在する分離要素に対して、対称でも、非対称でもよい。形態学的処理部を有する任意のゾーンは、存在する場合、液体管理システム５０内のチャネル（例えば、４９、４９’）及び／又は吸収性コア２８内のチャネル（例えば、２６、２６’、２７、２７’）の一部及び／又は全部に、重なり合っても、重なり合わなくてもよい。
【０１２９】
形態学的処理部の例を、図５２及び図５３に示す。図５３は、図５２の円５３からの分解図である。この例示の形態学的処理部において、液体管理システム５０の部分１０６（ＬＭＳ  ５０の１つ以上の層又は全ての層）は、液体透過性トップシート２４内に、又はそれを通って延びる。不連続部１１６は、液体管理システム５０の衣類に面する表面１２０に形成されることができる。部分１０６が液体透過性トップシート２４内に及び／又はそれを通って延びる位置で、フラップ１０７は、液体透過性トップシート２４内に形成されることができる。液体管理システム５０が突起１０６によって、トップシート２４を通過する液体を急速に吸い上げることができるという点で、そのような構造は液体吸収に役立ち得る。この構造はまた、尿などの液体がトップシート２４上に残る時間を減らすのにも役立つことができる。
【０１３０】
形態学的処理部の別の例を、図５４及び図５５に示す。図５５は、図５４の円５５からの分解図である。この例示の形態学的処理部では、液体透過性トップシート２４の部分１０６’は、液体管理システム５０の１つ以上の層若しくは全ての層内に又はそれを通って延びている。不連続部１１６’は、液体透過性トップシート２４の着用者に面する表面１２０に形成され得る。部分１０６’が液体透過性トップシート５０の中にかつ／又はそれを通って延びる位置で、フラップ１０７’は、液体透過性トップシート５０内に形成されることができる。ＬＭＳ  ５０の下に配置された吸収性コアが、突起１０６’によって、トップシート２４及びＬＭＳ  ５０を通じて液体を急速に吸収することができるという点で、そのような構造は液体吸収に役立ち得る。そのような構造はまた、尿などの液体がトップシート２４上に存在する時間を減らすのにも役立つことができる。この形態学的処理部は、本質的に、図５２及び図５３に示される形態学的処理部の逆である。
【０１３１】
２つの上述の形態学的処理部は両方とも、同じようにして形成されることができる。部分１０６又は１０６’は、図５６に示されるプロセスを使用して形成されることができる。このプロセスは、２つのロール１０２及び１０４により形成されるニップ１１６を通じて、少なくとも一部の液体管理システム５０上に重なり合う液体透過性トップシート２４を含むウェブを前進させること、又は少なくとも一部の液体透過性トップシート２４に重なり合う液体管理システム５０を含むウェブを前進させること（破線の参照番号２４及び５０に示すように）を含むことができる。２つのロールは、ロール上の矢印によって示される方向に、それぞれの長手方向軸線Ａ上で回転する。ロール１０２は、間に複数の溝１０８を形成する複数の外向きに延びる隆起１２６を含む、溝付きロールを有することができる。ロール１０４は、複数の半径方向外向きに延びる歯１１０、及びそれらの間に形成される複数の溝１１２を有することができる。ロール１０２の隆起部１２６は、ロール１０４の溝１１２内に延在するように構成されることができ、ロール１０４の歯１１０は、ロール１０２の溝１０８内に延在して部分１０６又は１０６’を形成するように構成されることができる。図５６で分かるように、この配置は、液体透過性トップシート２４内若しくはその中に液体管理システム５０の一部を押し込んで、部分１０６を形成するか、又は液体管理システム５０を通って若しくはその中に液体透過性トップシート２４の一部を押し込んで、部分１０６’を形成するものである。ロール１０２及び１０４の噛合が、図５７に更に詳細に示されるが、液体透過性トップシート２４及び液体管理システム５０は示されない。「Ｐ」は歯１１０の間のピッチであり、「Ｅ」は溝１１２への隆起部１２６内への係合の深さであり、「ＴＨ」は歯の高さである。これらの測定値は全て、例えば、異なって形作られた及び／又は大きさを設定された部分１０６又は１０６’を得るために変更されてもよい。そのような構造及び製造方法に関する更なる詳細は、Ｈｏｙｉｎｇらに対する米国特許第７，６４８，７５２号に開示されている。
【０１３２】
液体管理システム５０が液体透過性トップシート２４の中へ若しくは液体透過性トップシート２４を通じて、又は液体透過性トップシート２４が液体管理システム５０の中へ若しくは液体管理システム５０を通じて延びるパターン、深さ、長さ、幅、及び／又は頻度において、形成される突起部１０６が異なり得るように、ロール１０４上の歯１１０は、ロール１０４の回転方向において、ロール１０４の周囲で異なり得る。ロール１０４の回転方向において、ロール１０４の約５０％の歯は、第１の構成、サイズ、長さ、幅、パターン、頻度などを有することができ、一方で、ロールの残りの歯は、第２の構成、サイズ、長さ、幅、パターン、頻度などを有することができる。他の場合において、特定の構成を有する歯は、ロール１０４上の３つ以上のゾーンに形成されることができる。歯が異なることによって、ロールが、異なる部分１０６又は１０６’を有するゾーンを作成することが可能になり、それにより、例えば、トップシート２４の第１ゾーン及びトップシート２４の第２ゾーンに異なる形態学的処理部を作成することができる。
【０１３３】
化学的処理部
トップシート２４及び／又は液体管理システム５０の種々のゾーンのうちの１つ以上は、１つ以上の化学的処理部を含むことができる。化学的処理部は、任意の好適な色、サイズ、形状、厚み及び／又はパターンを有することができる。種々のゾーンは、同じ化学的処理部又は異なる化学的処理部を有することができる。複数の化学的処理部は、特定のゾーンに又は複数のゾーンに設けられ得る。いくつかの化学的処理部は、他の化学的処理部のゾーンを取り囲むか、若しくは少なくとも部分的に取り囲むことができ、又は、他の幾何学的処理部若しくは形態学的処理部を取り囲むか、若しくは少なくとも部分的に取り囲むことができる。他の場合では、いくつかの化学的処理部は、他の化学的処理部に少なくとも部分的に重なることができる、並びに／又は、幾何学的処理部及び／若しくは形態学的処理部の上に配置されることができるか、若しくは重なることができる。いくつかの例示の化学的処理部を、図５８〜図６５に示す。上述のように、種々の他の図が、種々の化学的処理部を示す。図５８は、トップシート上の印刷された又は染色されたチャネルのパターンの例示の化学的処理部を示している。図５９及び図６０は、トップシート上の印刷された又は染色されたドットのパターンの例示の化学的処理部を示している。図６１及び図６２は、トップシート上の印刷された又は染色された菱形のパターンの化学的処理部を示している。
【０１３４】
図６３は、複数のゾーンを有する吸収性物品の例を示している。１つ以上のゾーンは、１つ以上の化学的処理部及び／又は１つ以上の他の処理部を含むことができる。第１ゾーンＺ１は、スキンケア組成物を含む化学的処理部を含むことができ、第２ゾーンＺ２は、非付着性ローション又はＢＭが着用者の皮膚に粘着するのを防止するのに役立つように構成される組成物を含む化学的処理部を含むことができ、第３ゾーンＺ３は、インク又は顔料を含む組成物を含む化学的処理部を含むことができる。種々の化学的処理部は、種々のゾーンのパターン（例えば、ストライプ、ドット）にあり得る。パターンは、種々のゾーンで及び／又は特定のゾーン内で、同じでも異なってもよい。吸収性物品は、第３ゾーンＺ３及び／又は周囲の第１ゾーンＺ１のいずれかの側に、エンボス加工された深い線ＥＬを含むこともできる。吸収性物品は、第４ゾーンＺ４及び第５ゾーンＺ５それぞれを更に含んでよい。この第４ゾーンＺ４及び第５ゾーンＺ５は、任意の数の化学的、幾何学的及び／又は形態学的処理部を含んでもよく、又はいかなる処理部も含まなくてもよい。トップシートはまた、流れ制御材料を含むことができる。流れ制御材料は、第１ゾーンＺ１、第２ゾーンＺ、２及び／若しくは第３ゾーンＺ３の周辺部を形成しても、又はその周辺に配置されてもよい。流れ制御材料は、連続的又は不連続的であり得る。
【０１３５】
図６４は、少なくとも２つのゾーン、Ｚ１及びＺ２を有する吸収性物品の例を示している。ゾーンＺ１は、ゾーンＺ２の両端部に存在し得る。ゾーンＺ１及びＺ２はそれぞれ、幾何学的処理部及び／又は形態学的処理部を含むことができる。形態学的処理部の一方又は両方は、図５２〜５７に関して上で説明したように、トップシート内に又は少なくとも部分的にそれを通って延在する、液体管理システムの一部を含むことができる。ゾーンＺ１の形態学的処理部は、ゾーンＺ２の形態学的処理部とは異なるパターン（例えば、高さ、幅、形状、頻度、長さ、間隔、色、材料など）を有することができる。ゾーンＺ１及びＺ２はまた、例えばドットで形成される、第１の化学的処理部、ＣＴ１を含み得る。第１の化学的処理部ＣＴ１は、ＢＭが着用者の皮膚に粘着するのを防止する際に役立つように構成される、非付着性ローション又は組成物を含み得る。ゾーンＺ１はまた、例えば酸化亜鉛などの活性成分又はビタミンＥなどのビタミンを含んだ第２の化学的処理部、ＣＴ２を含み得る。ゾーンＺ２は、例えばヘキサミジンなどの酵素阻害物質を含んだ第３の化学的処理部、ＣＴ３を含み得る。第３の化学的処理部ＣＴ３は、ＢＭ非付着性ローションであってもよい。
【０１３６】
図６４は、４つのゾーンを有する吸収性物品の例を示している。ゾーンＺ１は、形態学的処理部（例えば図５２又は図５４参照）を含み得る。ゾーンＺ２は、孔を有する幾何学的処理部を含み得る。ゾーンＺ３は、疎水性又は親水性であり得るＢＭ非付着性ローションを含んだ化学的処理部を含み得る。ゾーンＺ４は、活性成分を持つローションを含んだ化学的処理部を含み得る。ゾーンＺ４のローションは、疎水性又は親水性であり得る。ゾーン４は、少なくとも部分的にゾーン１に重なり合うことができる。ゾーン３は、少なくとも部分的にゾーン１及びゾーン２に重なり合うことができる。吸収性物品はまた、横方向の分離要素ＬＳＥを含むことができる。
【０１３７】
図６５は、複数の処理部を有する吸収性物品の例を示している。第１の処理部Ｔ１は、深いエンボス加工の形態学的処理部、及びインク又は色素を含んだ組成物を含む、第１の化学的処理部ＣＴ１を含み得る。第２の化学的処理部ＣＴ２は、例えば酸化亜鉛などの活性成分、又はビタミンＥなどのビタミンを含み得る。活性成分は、例えばドットのパターンによって形成され得る。第３の化学的処理部ＣＴ３は、１つ以上の流れ制御材料を含んでよい。流れ制御材料は、例えばストライプのパターンによって形成され得る。種々の処理部が存在する任意の領域はまた、追加の処理部を含んでもよい。
【０１３８】
図６６は、複数のゾーンに流れ制御材料を有する吸収性物品の例を示している。ゾーンＺ１は、尿用の流れ制御材料を含み得る。ゾーンＺ２は、ＢＭ用の流れ制御材料を含み得る。ゾーンＺ３は、尿用又はＢＭ用の流れ制御材料を含み得る。吸収性物品はまた、１つ以上の他の処理部を含み得る。
【０１３９】
図６７は、複数のゾーンを有する吸収性物品の例を示している。ゾーンＺ１は、形態学的処理部（例えば図５２又は図５４参照）を含み得る。ゾーンＺ２は、化学的処理部を含み得る。ゾーンＺ２は、少なくとも部分的にゾーンＺ１に重なり合うことができる。ゾーンＺ３は、形態学的処理部（例えば図５２又は図５４参照）を含み得る。ゾーンＺ４は、ＢＭ非付着性ローションを含み得る。ゾーンＺ４は、少なくとも部分的にゾーンＺ３に重なり合うことができる。吸収性物品はまた、１つ以上の他の処理部を含み得る。
【０１４０】
図６８は、複数のゾーンを有する吸収性物品の例を示している。ゾーンＺ１は、孔を有する幾何学的処理部を含み得る。ゾーンＺ２は、孔を有する幾何学的処理部を含み得る。孔は、パターンを作製してもよい。ゾーンＺ１はスキンケア組成物を含むことができ、ゾーンＺ２はＢＭ非付着性ローションを含むことができる。吸収性物品はまた、１つ以上の他の処理部を含み得る。
【０１４１】
１つ以上の化学的処理部又は他の処理部を有する任意のゾーンは、液体管理システム５０のチャネル（例えば、４９、４９’）及び／又は吸収性コア２８のチャネル（例えば、２６、２６’、２７、２７’）の一部又は全部に重なり合っても、重なり合わなくてもよい。
【０１４２】
疎水性／親水性
上述のように、トップシートの種々のゾーンは、それらのゾーンを、疎水性若しくは親水性、又はより疎水性若しくはより親水性にする化学的処理部を含むことができる。これらのゾーンに関するいくつかの更なる詳細は、以下に提供される。吸収性物品のトップシートは、親水性コーティングを含む第１の化学的処理部、及び／又は疎水性コーティングを含む第２の化学的処理部を含むことができる。他の場合において、１つの親水性コーティング又は１つの疎水性コーティングのみが、トップシート上に設けられてもよい。更に他の場合において、第１の化学的処理部は疎水性によるものでよく、第２の化学的処理部は、異なる親水性（すなわち、より高い疎水性、より低い疎水性、より高い親水性、又はより低い親水性）を有することができる。親水性コーティング及び疎水性コーティングは、トップシートの任意の好適な領域又はゾーンに配置されてよい。トップシートは、親水性コーティングを含む第１ゾーン、及び親水性コーティングを含む第２のゾーンを有することができる。他の場合において、トップシートの１つ以上のゾーンは、親水性又は疎水性コーティングのいずれかを含む化学的処理部を含み得る。トップシートの第１及び第２ゾーンは、吸収性物品の前側及び／若しくは後側、又は前側及び後側それぞれに配置されてよい。他の場合において、トップシートの第１及び第２ゾーンは、実質的に横方向に延在する分離要素、横方向軸線又は長手方向軸線の両側に配置されてよい。
【０１４３】
親水性である化学的処理部は、尿又は液状のＢＭによる、液体透過性トップシート、ＬＭＳ及び／又は吸収性コアへの浸透を容易にすることができる、又は着用者の皮膚に対して液体透過性トップシートへのＢＭの付着を促進することができる。疎水性処理部は、身体の接触、再湿潤の低減、皮膚乾燥の改善を容易にするため所定位置にスキンケア組成物を保持することができ、かつ／又は、一部の液体透過性トップシート若しくはＬＭＳを通過した後に、液状のＢＭが皮膚を再度汚すことを防止するか、若しくは少なくとも阻害することができる。
【０１４４】
活性成分／酵素阻害剤／ビタミン
上述のように、本明細書で示す各種のゾーンか又は本開示のトップシートの一部のうちのいずれかはまた、１つ以上の活性成分、酵素阻害剤及び／又はビタミンを含むこともできる。活性成分の一例は酸化亜鉛であり、それは抗菌剤として機能して、皮膚上の病原体数を減らし、皮膚又は尿路の日和見感染症を防止するのに役立つことができる。酵素阻害剤の一例はヘキサミジンであり、それは皮膚バリアに対する、トリプシンなどのタンパク質分解性の糞便の酵素による攻撃を予防するのに役立ち、それによって刺激及び皮膚炎を低減し得る蛋白質分解酵素抑制剤である。ビタミンの一例はビタミンＥであり、それは皮膚バリア機能を安定させるのに役立つことができる。
【０１４５】
耐久性／移動可能性
上述のように、トップシートのゾーンのいくつかは、実質的に耐久性の化学的処理部及び／又は実質的に移動可能な化学的処理部を有することができる。これらの処理部を、以下でより詳細に説明する。吸収性物品のトップシートは、実質的に移動可能である若しくは実質的に耐久性のある第１の化学的処理部、及び／又は実質的に耐久性のある若しくは実質的に移動可能である第２の化学的処理部を有することができる。ある場合には、１つの実質的に移動可能である又は実質的に耐久性のある化学的処理部のみが、トップシートに設けられてもよい。実質的に移動可能かつ実質的に耐久性のある化学的処理部は、トップシートの任意の好適な領域又はゾーンに配置され得る。トップシートは、実質的に移動可能である又は実質的に耐久性のある第１の化学的処理部を含む第１ゾーン、及び実質的に耐久性のある又は実質的に移動可能である第２の化学的処理部を含む第２ゾーンを含むことができる。他の場合には、トップシートの１つ以上のゾーンは、実質的に移動可能である又は実質的に耐久性のある化学的処理部を含むことができる。場合によっては、２つの実質的に耐久性のある又は実質的に移動可能な化学的処理部は、トップシートの種々のゾーンに設けられてもよい。そのような場合、処理部のうちの１つは、他の処理部とは異なるパターン、厚み、坪量でトップシートに適用され得る。トップシートの第１及び第２ゾーンは、吸収性物品の前側及び／若しくは後側、又は前側及び後側それぞれに配置されてよい。他の場合には、トップシートの第１及び第２ゾーンは、実質的に横方向に延在する分離要素、横方向軸線又は長手方向軸線の両側に配置されてよい。
【０１４６】
実質的に耐久性のある化学的処理部を有する利点のいくつかは、化学的処理部、例えば糞尿捕捉ポリマー組成物などがトップシート上に残って、ＢＭが皮膚に付着するよりもしっかりとＢＭをトップシート上に保持して、吸収性物品を用いた皮膚からのＢＭの除去をより容易にすることができるという点である。実質的に耐久性のある化学的処理部の他の例は、ａ）次の排尿事象（すなわち、第１の排尿事象の後）で尿の浸透を維持するのに役立つ親水性処理部、及び／又は、ｂ）トップシートの選択された領域の尿の浸透を優先的に制限する流れ制御材料（以下に詳細に説明する）、を含むことができる。
【０１４７】
実質的に移動可能な化学的処理部を有する利点のいくつかは、スキンケア組成物などの化学的処理部が、刺激に対する皮膚バリア強化又は他の皮膚の健康上の利益のため、着用者の皮膚へ少なくとも部分的に移動可能である、ということである。実質的に移動可能な化学的処理部の別の例は、皮膚へのＢＭ付着を防止するか又は少なくともそれを阻害する、ＢＭ非付着性ローションである。
【０１４８】
流れ制御材料
上記のように、トップシートのゾーンのいくつかは、流れ制御材料を有する化学的処理部を含むことができる。この流れ制御材料は、更に以下で詳細に説明する。
【０１４９】
流れ制御材料は、吸収性物品のトップシート上の、その内部への若しくはそれを通過する、身体滲出物の移動及び／若しくは浸透を、促進する、減速する、又は制限することができる。
【０１５０】
トップシートは、第１の流れ制御材料（図２１Ｃ、Ｚ５）を有する第１の化学的処理部及び／又は第２の流れ制御材料（図２１Ｃ、Ｚ５）を有する第２の化学的処理部を含むことができる。この流れ制御材料は、同じでも、異なってもよい。ある場合には、１つの流れ制御材料のみが、トップシートに設けられてもよい。第１及び第２の流れ制御材料は、トップシートの任意の好適な領域、ゾーン及び／又は部分に配置されることができる。トップシートは、第１の流れ制御材料を含む第１ゾーン（図１５、Ｚ１を参照）、及び第２の流れ制御材料を含む第２ゾーン（図１５、Ｚ２を参照）を含むことができる。トップシートの第１及び第２ゾーンは、吸収性物品の前側及び／若しくは後側、又は前側及び後側それぞれに配置されてよい。他の場合には、トップシートの第１及び第２ゾーンは、実質的に横方向に延在する分離要素（図１５参照）、横方向軸線又は長手方向軸線の両側に最後に部分的に配置されてよい。
【０１５１】
第１及び第２の流れ制御材料は、同じでも異なってもよい。第１の流れ制御材料は、第２の流れ制御材料と比較して、異なる透過性、坪量、表面エネルギ及び／又は厚みを有することができる。第１の流れ制御材料及び／又は第２の流れ制御材料は、顔料、着色剤、印刷インク、染料、及び／又はスキンケア組成物を含み得る。第１及び第２の流れ制御材料の顔料、着色剤、印刷インク、染料、及び／又はスキンケア組成物は、同じでも異なってもよい。
【０１５２】
第１及び第２の流れ制御材料は、異なるゾーンに異なるパターン、（例えば図２１Ａ、Ｚ２及びＺ４を参照）、例えば第１ゾーンに第１のパターン及び第２ゾーンに第２のパターンを有することができる、又は異なるゾーンに同じパターンを有することができる。
【０１５３】
流れ制御材料は、吸収性物品の特定の領域の液体の身体滲出物の浸透を、少なくとも部分的に又は完全に制限する又は減速することができ、それらが優先的に収容され得る領域に滲出物を方向付けることができる（すなわち、嵩さを減らす、フィット感を改善する及び／又は皮膚への再湿潤を改善する（減らす））。例えば、尿が着用者から製品に侵襲すると予想され、長手方向の一方又は両方に向いている領域に、流れ制御材料が位置している場合、これにより、股部領域の湿潤嵩さを低下させることができる。そのような機能はまた、外観及び／又は動きの快適さ／自由さという利点を吸収性物品にもたらし得る。あるいは流れ制御材料は、トップシートの特定の領域を通って逆戻りする、身体滲出物の再湿潤（すなわち、トップシートを通って移動した）を防止するか、又は少なくとも制限して、汚されていない皮膚を汚すことを回避することができる。
【０１５４】
他の場合には、流れ制御材料は、トップシート全体にわたるか又はその内部への若しくはそれを通過する身体滲出物の流れを促進して、吸収性物品がより効果的に身体滲出物を吸収できるようにする。
【０１５５】
流れ制御材料の一例として、吸収性物品は、液体透過性トップシートと、液体不透過性バックシートと、液体透過性トップシートと液体不透過性バックシートとの間に少なくとも部分的に配置される吸収性コアと、を含むことができる。液体透過性トップシートは、吸収性コアの少なくとも一部上に少なくとも大部分が又は全てが閉じた周辺部を形成することができる、流れ制御材料を含むことができる（例えば、図２０、Ｚ２〜Ｚ４、図２１Ａ、Ｚ５、図２１Ｂ、Ｚ３、図２１Ｃ、Ｚ４、図２４、Ｚ１、Ｚ３、及びＺ４、図２９、Ｚ３、及び図３９〜図４２参照）。「少なくとも大部分が閉じた周辺部」という用語は、少なくとも６０％が閉じている周辺部（すなわち、完全に閉じた形状の６０％が形成される）を意味する。少なくとも大部分が閉じた周辺部又は全てが閉じた周辺部は、連続的であっても（図２０、Ｚ３及びＺ４、２１Ａ、Ｚ５、２１Ｂ、Ｚ３、２１Ｃ、Ｚ４を参照）、不連続的であってもよい（図３９〜図４２を参照）。不連続な流れ制御材料は、ストライプ、点、破線などの要素のパターンをなして提供され得る。流れ制御材料は、液体透過性トップシートから外向きに０．２ｍｍ未満、又は０．２ｍｍ超延在することができ（本明細書の流れ制御材料外向き延伸方法によって測定される）、また、液体透過性トップシートの一部内に又はそれを通って入り込むことができる。流れ制御材料はまた、液体管理システムに適用されてもよい。
【０１５６】
トップシートはまた、１つ以上の幾何学的処理部、形態学的処理部及び／又は化学的処理部（流れ制御材料以外の化学的処理部）を含むこともできる。図２０を参照すると、幾何学的処理部Ｚ２は、第１の流れ制御材料Ｚ４により形成される、少なくとも大部分が閉じた周辺部Ｐ１又は全てが閉じた周辺部の内部に完全に配置されても、その上に又はその外側に若しくは少なくとも部分的に外側に配置されてもよい。トップシート２４はまた、トップシート２４の第２の少なくとも大部分が閉じた又は全てが閉じた周辺部Ｐ２を形成する第２の流れ制御材料５００を含むことができる。第２の周辺部Ｐ２は、少なくとも大部分が閉じた周辺部Ｐ１内に、少なくとも部分的に又は完全に配置され得る。第２の幾何学的処理部、第２の形態学的処理部、又は第２の化学的処理部Ｚ１は、少なくとも大部分が閉じた第２の周辺部内Ｐ２内に、少なくとも部分的に又は完全に配置され得る。トップシートはまた、１つ以上の追加の化学的処理部を含んでよい。化学的処理部は、周辺部Ｐ１若しくは第２の周辺部Ｐ２上に、その中に又はその外側に配置され得る。
【０１５７】
流れ制御材料は、液体透過性トップシートの厚みの少なくとも５％、少なくとも１０％、少なくとも１５％、少なくとも２０％、少なくとも２５％、少なくとも５０％、又はそれ以上を貫いて入り込むことができる。流れ制御材料はまた、吸収性物品の液体管理システム上をかつ／又は少なくとも部分的にそれを貫いて入り込むこともできる。いくつかの場合には、流れ制御材料は、トップシート若しくは液体管理システム及び／又は吸収性コアの表面上にのみ存在してもよい。他の場合には、流れ制御材料は、トップシート及び／又は液体管理システムを完全に貫いて入り込むことができる。更に他の場合には、流れ制御材料は、１％〜７５％、５％〜５０％、５％〜５０％、及び５％〜２５％の範囲で、トップシート又は液体管理システムに入り込むことができ、具体的には、上述の特定の範囲内及びその中で又はそれによって形成される全ての範囲内において、いずれも０．１％の増分が列挙される。流れ制御材料は、例えばスプレ、溶融及び圧延など当業者に既知の任意の好適な方法によって、トップシート又は液体管理システムに適用され得る。
【０１５８】
流れ制御材料は、本明細書の透過度試験方法により測定して、トップシートの着用者に面する表面の下の、少なくとも約５０マイクロメートル、少なくとも約７５マイクロメートル、少なくとも約１００マイクロメートル、少なくとも約１５０マイクロメートル、少なくとも約２００マイクロメートル、少なくとも約２５０マイクロメートル、少なくとも約３００マイクロメートル、又は少なくとも約３５０マイクロメートルの深さで貫いて入り込むことができる。流れ制御材料はまた、本明細書の透過度試験方法により測定して、トップシートの着用者に面する表面の下の、約２５マイクロメートル〜約５００マイクロメートル、約５０マイクロメートル〜約５００マイクロメートル、約１００マイクロメートル〜約４００マイクロメートル、約１００マイクロメートル〜約３００マイクロメートル、約１５０マイクロメートル〜約３００マイクロメートル、又は約１００マイクロメートル〜約２５０マイクロメートルの範囲の深さで貫いて入り込むことができ、具体的には、上述の特定の範囲内及びその中で又はそれによって形成される全ての範囲内において、いずれも０．５マイクロメートルの増分が列挙される。
【０１５９】
別の例として、吸収性物品は、液体透過性トップシートと、液体不透過性バックシートと、横方向軸線の第１の側の吸収性物品の前側領域及び横方向軸線の第２の側の吸収性物品の後側領域を画定する横方向軸線と、液体透過性トップシートと液体不透過性バックシートとの間に少なくとも部分的に配置される吸収性コアと、を含んでよい。一般に図１５を参照して、液体透過性トップシート２４は、主として前側領域に位置して（例えば、少なくとも６０％又は少なくとも７５％）、第１の流れ制御材料を含む第１ゾーンＺ１と、主として後側領域に位置して（例えば、少なくとも６０％又は少なくとも７５％）、第２の流れ制御材料を含む第２ゾーンＺ２と、を有することができる。第１の流れ制御材料は、第２の流れ制御材料と異なっていても同じでもよい。第１及び第２の流れ制御材料は、同じ又は異なる坪量及び／又は厚みで適用されてよい。第１及び第２の流れ制御材料の少なくとも一部は、吸収性物品の長手方向軸線８０上に、又はそれに隣接して配設され得る。第１の流れ制御材料は、第２の流れ制御材料とは異なる（若しくは同じ）パターン、形状及び／又は被覆面積を有することができる。第１ゾーンＺ１はまた第１の幾何学的処理部を含むことができ、第２ゾーンＺ２はまた第２の幾何学的処理部を含むことができる。第１の流れ制御材料は、第１の幾何学的処理部と関連していてもよく（例えば、その上に、その下に、その内部に、その全体に配置される、それと組み合わせて動作する）、第２の流れ制御材料は、第２の幾何学的処理部と関連していてもよい。
【０１６０】
流れ制御材料（複数を含む）はまた、ａ）使用中、身体（例えば、坐骨又は臀部頬の下）から「高圧」をかけられる吸収性物品のトップシート又は液体管理システムの領域に、ｂ）吸収性コアの周辺部に、又はそのすぐ近くに、ｃ）身体滲出物が吸収性物品に侵襲すると予想される位置に、又はそのすぐ近くに、（すなわち、吸収性物品の前部分又は後部分（又は他の部分）に身体滲出物を方向付ける）、ｄ）種々のゾーンの周辺部に、又はそのすぐ近くに、ｅ）横方向軸線の周辺に、又はそのすぐ近くに、ｆ）横方向に延在する分離要素の周辺に、又はそのすぐ近くに、又はその上に、配置されることができる。
【０１６１】
吸収性物品は、液体透過性トップシートと吸収性コアとの間に少なくとも部分的に配置される液体管理システムを含むことができる。液体管理システムは、それに適用かつ配置されて、吸収性コアの一部上に少なくとも大部分が又は全てが閉じた周辺部を形成する、第３の流れ制御材料を含むことができる。
【０１６２】
別の例として、吸収性物品は、液体透過性トップシートと、液体不透過性バックシートと、液体管理システムと、液体管理システムと液体不透過性バックシートとの間に少なくとも部分的に配置される吸収性コアと、を含むことができる。液体管理システムは、液体透過性トップシートと吸収性コアとの間に少なくとも部分的に配置され得る。図２１を参照すると、液体透過性トップシート２４又は液体管理システムは、尿侵襲ゾーン５０４及び／又は糞便侵襲ゾーン５０６に配置される、又はそれを取り囲む、又は少なくとも部分的にそれを取り囲む、流れ制御材料５０２を含むことができる。他の場合には、液体透過性トップシート又は液体管理システムは、尿侵襲ゾーン５０４に配置されている、又はそれを取り囲む、又は少なくとも部分的にそれを取り囲む、第１の流れ制御材料５０２を含むことができ、また、糞便侵襲ゾーン５０６に配置される、又はそれを取り囲む、又は少なくとも部分的にそれを取り囲む、第２の流れ制御材料５０２’を含むことができる。
【０１６３】
本明細書で示す種々の処理部に加えて、又はその代わりに、種々のゾーン又は１つ以上のその部分のうちのいずれかは、同じ色、異なる色、及び／又は異なるΔ  Ｅ値の１つ以上の色、色合いを有することができる。例えば、第１ゾーン又はその１つ以上の部分は第１の色を有しており、第２のゾーン（又は第３若しくは第４ゾーンなど）又はその１つ以上の部分は第２の色を有することができる。第１の色及び第２の色は、同一でも異なっていてもよい。特定の場合には、吸収性物品の前側領域のゾーンの全部又は一部又はその１つ以上の部分は、吸収性物品の後側領域のゾーンの全部又は一部又はその部分と同じ又は異なる色を有することができる。いくつかの場合には、種々の処理部は、同じ又は異なる色を有することができる。色は、各種のゾーン内の、材料、処理部（例えば、化学的処理部）及び／又は層（例えば、捕捉層）のいずれかによって、又はその上に提供されることができる。
【０１６４】
パッケージ
本開示の吸収性物品は、パッケージ内に入れられることができる。パッケージは、ポリマーフィルム及び／又は他の材料を含んでもよい。吸収性物品の特性に関する図画及び／又はしるしは、パッケージの外側部分上に形成される、印刷される、位置付けられる及び／又は配置されることができる。各パッケージは、複数の吸収性物品を含んでよい。吸収性物品は、パッケージの寸法を減らすように圧縮下で包装されることができる一方で、依然としてパッケージ当たりの十分な量の吸収性物品を提供する。圧縮下で吸収性物品をパッケージングすることによって、介護者はパッケージを容易に取り扱いかつ収納することができ、一方でパッケージのサイズにより配送時の節約も製造業者に提供する。
【０１６５】
したがって本開示の吸収性物品のパッケージは、本明細書に記載されるバッグ内スタック高さ試験による、約１００ｍｍ未満、約９５ｍｍ未満、約９０ｍｍ未満、約８５ｍｍ未満、約８５ｍｍ未満、かつ約７５ｍｍ超、約８０ｍｍ未満、約７８ｍｍ未満、約７６ｍｍ未満、又は約７４ｍｍ未満のバッグ内スタック高さを有することができ、具体的には、上述の特定の範囲内及びその中で又はそれによって形成される全ての範囲内において、いずれも０．１ｍｍの増分が列挙される。あるいは、本開示の吸収性物品のパッケージは、本明細書に記載されるバッグ内スタック高さ試験による、約７０ｍｍ〜約１００ｍｍ、約７０ｍｍ〜約９５ｍｍ、約７２ｍｍ〜約８５ｍｍ、約７２ｍｍ〜約８０ｍｍ、又は約７４ｍｍ〜約７８ｍｍのバッグ内スタック高さを有することができ、具体的には、上述の特定の範囲内及びその中で又はそれによって形成される全ての範囲において、いずれも０．１ｍｍの増分が列挙される。
【０１６６】
図６９は、複数の吸収性物品１００４を含む、例示のパッケージ１０００を示す。パッケージ１０００は、複数の吸収性物品１００４が中に置かれる内部スペース１００２を画定する。複数の吸収性物品１００４は、１つ以上のスタック１００６に配置される。
【０１６７】
試験方法
試験前に２時間かけて、約２３℃±２℃及び約５０％±２％の相対湿度で、全試料を調整する。
【０１６８】
孔試験
孔寸法、有効孔面積、及び有効開口面積％の測定は、６４００ｄｐｉの解像度及び８ビットのグレイスケールで反射率モードにてスキャンすることができる、フラットベッドスキャナを用いて、生成された画像で実行される（好適なスキャナは、Ｅｐｓｏｎ  Ｐｅｒｆｅｃｔｉｏｎ  Ｖ７５０  Ｐｒｏ（Ｅｐｓｏｎ、ＵＳＡ）である）。分析は、ＩｍａｇｅＪ  ｓｏｆｔｗａｒｅ（Ｎａｔｉｏｎａｌ  Ｉｎｓｔｉｔｕｔｅｓ  ｏｆ  Ｈｅａｌｔｈ（米国）製ｖ．ｓ．１．４６）を使用して実施し、ＮＩＳＴによって認定された定規に対して較正される。試料を取り付けるために鋼製フレーム（１００ｍｍ２、１．５ｍｍ厚、６０ｍｍ２開口部付き）を使用し、黒色ガラスタイル（ＨｕｎｔｅｒＬａｂ、（Ｒｅｓｔｏｎ、ＶＡ）製Ｐ／Ｎ１１−００５０−３０）を走査画像の背景として使用する。
【０１６９】
鋼製フレームを取って、内部開口を取り囲む底面上に両面接着テープを貼る。試料を得るために、着用者に面する表面を上向きにして、実験台に吸収性物品を平らに置く。テープの剥離紙を除去して、吸収性物品のトップシートに鋼製フレームを接着させる。かみそりの刃を用いて、フレームの外周周辺の吸収性物品の下位層からトップシートを切除する。長手方向及び横方向の拡張部が維持されるように、試料を丁寧に取り去る。極低温スプレ（例えばＣｏｎｔｒｏｌ  Ｃｏｍｐａｎｙ（Ｈｏｕｓｔｏｎ、ＴＸ）製Ｃｙｔｏ−Ｆｒｅｅｚｅ）が、必要に応じて下位層からトップシート試料を取り出すために使用され得る。５つの実質的に類似した吸収性物品から得られる５つの複製試験片を、分析用に準備する。
【０１７０】
定規をスキャナ台に配置して、蓋を閉じて、６４００ｄｐｉ及び８ビットのグレイスケールの解像度で反射率モードで、定規の５０ｍｍ×５０ｍｍ較正画像を得る。画像を圧縮前のＴＩＦＦ書式ファイルとして保存する。蓋を持ち上げて、定規を取り除く。較正画像を取得した後、全ての試料を同じ条件下で走査して、同じ較正ファイルに基づいて測定する。次に、試料の着用者に面する表面をスキャナのガラス面に向けて、スキャナ台の中心上にフレーム試料を配置する。黒色ガラスタイルを、試料を覆うフレーム上に置き、蓋を閉じて、走査画像を取得する。同様に、残りの４つの複製試験片を走査する。
【０１７１】
ＩｍａｇｅＪ内の較正ファイルを開き、画像化した定規を使用して、較正がその後の試料に適用されるようにスケールをＧｌｏｂａｌに設定したまま、線形較正を行う。ＩｍａｇｅＪ内の試料画像を開く。ヒストグラムを見て、孔の暗画素ピークと不織布のより明るい画像ピークとの間に位置する最小母集団のグレーレベル値を特定する。画像の閾値を最小グレーレベル値に設定して、２値画像を生成する。処理済み画像で、孔は黒く、不織布は白く見える。
【０１７２】
分析粒子機能を選択する。最小孔面積排除限界を０．３ｍｍ２に、かつ、分析のために、縁部孔を除外するように設定する。有効孔面積、外周、フェレー（孔の長さ）及び最小フェレー（孔の幅）を計算するように、ソフトウェアを設定する。０．０１ｍｍ２単位で平均有効孔面積を記録して、０．０１ｍｍ単位で平均外周を記録する再び粒子分析機能を選択するが、有効孔面積を計算する際に端孔を含むように、時間は分析を設定する。有効孔面積（全部及び部分的な孔を含む）を合計して、画像（２５００ｍｍ２）に含まれる総面積で除算する。有効開口面積％を０．０１％単位で記録する。
【０１７３】
同様に、残りの４つの試料画像を分析する。５つの複製試験片について、平均有効孔面積を０．０１ｍｍ２単位で、平均孔外周を０．０１ｍｍ単位で、フェレー及び最小フェレーを０．０１ｍｍ単位で、並びに有効開口面積％を０．０１％単位で計算し、報告する。
【０１７４】
流れ制御材料外向き延伸方法／流れ制御材料透過度方法
実験の設定
別段の指示がない限り、本明細書に示された値は、本明細書で以下に示される方法に従って測定されたものである。全ての測定は、別に指定されない限り、２１±２℃及び５０±２０％  ＲＨで実行される。別段の指定がない限り、この試験を実施する前に、全ての試料は少なくとも２４時間、これらの状態に保たれて平衡化されるべきである。別段の指定がない限り、全ての測定は、少なくとも４つの試料で再現されているはずであり、得られた平均値が示される。
【０１７５】
装置
・かみそりの刃：ＶＷＲ  Ｓｉｎｇｌｅ  Ｅｄｇｅ  Ｉｎｄｕｓｔｒｉａｌ、厚さ０．２ｍｍ（０．００９”）の外科用炭素鋼、又は同等のもの。
・ＳＥＭ（Ｈｉｔａｃｈｉ  Ｓ３５００Ｎ、又は同等のもの）
【０１７６】
手順
液体透過性トップシートが流れ制御材料を含む領域の吸収性物品から、長さ１．５ｃｍ〜３ｃｍ及び幅１．３ｃｍの面積を切断する。流れ制御材料を含んだこのサブサンプルは、新しいかみそりの刃（ＶＷＲ  Ｓｉｎｇｌｅ  Ｅｄｇｅ  Ｉｎｄｕｓｔｒｉａｌ、厚さ０．２ｍｍ（０．００９”）の外科用炭素鋼、又は同等のもの）を使用して、長さ方向に沿って切断されている。トップシートが突出した又は反転した要素を含む場合、断面は、流れ制御材料を含む領域の、これらの特徴の中央全体で作製されなければならない。切断されたサブサンプルは両面導電性テープを使用してＳＥＭマウントに付着させて、切断された部分のトップシートの着用者に面する表面を上に、切断された端をマウントの端に合わせることによって、その結果、ＳＥＭ台が９０度後方に傾けられたとき、断面が示される。取り付けられた試料は、スパッタＡｕコーティングし、ＳＥＭ（Ｈｉｔａｃｈｉ  Ｓ３５００Ｎ又は同等のもの）で観察される。ＯｓＯ４又はＩ蒸気染色を使用していくつかの流れ制御材料を視覚化するのを助けることは、有利であり得る。これらを使用する場合、サンプルの伝導率を上昇させるスパッタＡｕコーティングは、必要でない場合がある。
【０１７７】
以下の測定は、断面画像からＰＣＩ  ｖ４．２画像分析ソフトウェア（又は同等のもの）の手動ラインツールで行われなければならない。
【０１７８】
（１）流れ制御材料外向き延伸方法は、流れ制御材料が断面画像で観察される最底点（着用者から離れるｚ−方向の）と、流れ制御材料が適用されていないトップシートの着用者に面する表面の最も近い点との間のｚ−方向距離を測定することによって、決定される。トップシートシステムが平らである場合、３つの領域が測定されて、線の長さを平均しなければならない。トップシートが突起及び／又は反転を含む場合、３つの領域は突起（存在する場合）が測定されて、３つの反転（存在する場合）が測定されて、これらの特徴（存在する場合）間のランド領域から３つの領域が測定されなければならない。突起で測定される線の長さが平均されて、反転で測定される線の長さが平均されて、ランド領域で測定される線の長さが平均される。流れ制御材料透過度は、これらの平均値のより高いものとして示されて、０．１マイクロメートル単位までマイクロメートルで報告される。
【０１７９】
（２）流れ制御材料透過度方法は、流れ制御材料が断面画像で観察される最底点（着用者から離れるｚ−方向の）と、流れ制御材料が適用されていないトップシートの着用者に面する表面の最も近い点との間のｚ−方向距離を測定することによって、決定される。トップシートシステムが平らである場合、３つの領域が測定されて、線の長さを平均しなければならない。トップシートが突起及び／又は反転を含む場合、３つの領域は突起（存在する場合）が測定されて、３つの反転（存在する場合）が測定されて、これらの特徴（存在する場合）間のランド領域から３つの領域が測定されなければならない。突起で測定される線の長さが平均されて、反転で測定される線の長さが平均されて、ランド領域で測定される線の長さが平均される。流れ制御材料透過度は、これらの平均値のより高いものとして示されて、０．１マイクロメートル単位までマイクロメートルで報告される。
【０１８０】
バッグ内スタック高さ試験
吸収性物品のパッケージのバッグ内スタック高さは、以下のように測定される。
【０１８１】
装置
平坦な堅い水平摺動板を備える厚み試験機が用いられる。厚み試験機は、平坦な堅い水平底板の真上の水平な方向に水平摺動板を常に維持した状態で、垂直方向に水平摺動板が自由に移動するように構成される。厚み試験機は、水平摺動板と水平底板との間の間隙を±０．５ｍｍ内まで測定するための好適な装置を含むことができる。水平摺動板及び水平底板は、各板と接触する吸収性物品パッケージの表面より大きい、すなわち各板は、全方向に吸収性物品パッケージの接触面を越えて延びる。水平摺動板は、吸収性物品パッケージ上に８．３４Ｎ（８５０±１重量グラム）の下向きの力を及ぼして、摺動板プラス加算重量の総量が８５０±１グラムになるように、適切な重量を水平摺動板のパッケージとの非接触上面の中心に配置することによって達成し得る。
【０１８２】
試験手順
測定前に温度２３±２℃及び相対湿度５０±５％で、吸収性物品を平衡化する。
【０１８３】
水平摺動板を持ち上げ、吸収性物品パッケージは、パッケージ内の吸収性物品が水平な方向にあるような方法で、水平摺動板の下に中央に配置される（図６９を参照）。板のいずれかと接触するパッケージの表面上の任意のつまみ又は他のパッケージ機能は、測定への影響を最小限にするように、パッケージの表面に対して平坦に折りたたまれる。パッケージの上面が接触するまで、水平摺動板はゆっくり降ろされて、次いで解放される。水平板の間の間隙は、水平摺動板を解放した後１０秒後に、±０．５ｍｍ内まで測定される。５つの同一のパッケージ（同一サイズのパッケージ及び同じ吸収物品数）が測定されて、相加平均がパッケージ幅として報告される。「バッグ内スタック高さ」＝（パッケージ幅／スタック当たりの吸収性物品数）×１０が計算されて、±０．５ｍｍ内まで報告される。
【０１８４】
本明細書で開示する寸法及び値は、列挙された正確な数値に厳密に限られるとして理解されるべきではない。むしろ、特に断らない限り、そのような各寸法は、記載された値及びその値の周辺の機能的に同等の範囲の両方を意味するものとする。例えば「４０ｍｍ」として開示される寸法は、「約４０ｍｍ」を意味するものとする。
【０１８５】
あらゆる相互参照又は関連特許若しくは関連出願を含む、本明細書に引用される文献は全て、明白に除外又は限定されている場合を除いて、本明細書中にその全容を援用するものである。いかなる文献の引用も、それが本明細書で開示若しくは請求される任意の実施形態に関する先行技術であること、又はそれが単独で若しくは任意の他の参照（単数又は複数）との任意の組み合わせで任意のこのような実施形態を教示、提案、若しくは開示することを認めるものではない。更に、本文書における用語のいずれかの意味又は定義が、援用文献における同一の用語のいずれかの意味又は定義と矛盾する場合には、本文書においてその用語に与えられた意味又は定義が優先するものとする。
【０１８６】
本開示の特定の実施形態が図示及び説明されたが、本開示の趣旨及び範囲から逸脱することなく様々な他の変更及び修正を行い得ることは、当業者には理解されるであろう。したがって、本開示の範囲内に属する全てのこのような変更及び修正を、添付された特許請求の範囲に網羅するものとする。
【図１】
2017509447.tif 000003
【図２】
2017509447.tif 000004
【図３】
2017509447.tif 000005
【図４】
2017509447.tif 000006
【図５】
2017509447.tif 000007
【図６】
2017509447.tif 000008
【図７】
2017509447.tif 000009
【図８】
2017509447.tif 000010
【図９】
2017509447.tif 000011
【図１０】
2017509447.tif 000012
【図１１】
2017509447.tif 000013
【図１２】
2017509447.tif 000014
【図１３】
2017509447.tif 000015
【図１４】
2017509447.tif 000016
【図１５】
2017509447.tif 000017
【図１６】
2017509447.tif 000018
【図１７】
2017509447.tif 000019
【図１８】
2017509447.tif 000020
【図１９】
2017509447.tif 000021
【図２０】
2017509447.tif 000022
【図２０Ａ】
2017509447.tif 000023
【図２１】
2017509447.tif 000024
【図２１Ａ】
2017509447.tif 000025
【図２１Ｂ】
2017509447.tif 000026
【図２１Ｃ】
2017509447.tif 000027
【図２２】
2017509447.tif 000028
【図２３】
2017509447.tif 000029
【図２４】
2017509447.tif 000030
【図２５】
2017509447.tif 000031
【図２６】
2017509447.tif 000032
【図２７】
2017509447.tif 000033
【図２８】
2017509447.tif 000034
【図２９】
2017509447.tif 000035
【図３０】
2017509447.tif 000036
【図３１】
2017509447.tif 000037
【図３２】
2017509447.tif 000038
【図３３】
2017509447.tif 000039
【図３４】
2017509447.tif 000040
【図３５】
2017509447.tif 000041
【図３６】
2017509447.tif 000042
【図３７】
2017509447.tif 000043
【図３８】
2017509447.tif 000044
【図３９】
2017509447.tif 000045
【図４０】
2017509447.tif 000046
【図４１】
2017509447.tif 000047
【図４２】
2017509447.tif 000048
【図４３】
2017509447.tif 000049
【図４４Ａ】
2017509447.tif 000050
【図４４Ｂ】
2017509447.tif 000051
【図４４Ｃ】
2017509447.tif 000052
【図４４Ｄ】
2017509447.tif 000053
【図４４Ｅ】
2017509447.tif 000054
【図４４Ｆ】
2017509447.tif 000055
【図４５】
2017509447.tif 000056
【図４６Ａ】
2017509447.tif 000057
【図４６Ｂ】
2017509447.tif 000058
【図４７】
2017509447.tif 000059
【図４８】
2017509447.tif 000060
【図４９】
2017509447.tif 000061
【図５０】
2017509447.tif 000062
【図５１】
2017509447.tif 000063
【図５２】
2017509447.tif 000064
【図５３】
2017509447.tif 000065
【図５４】
2017509447.tif 000066
【図５５】
2017509447.tif 000067
【図５６】
2017509447.tif 000068
【図５７】
2017509447.tif 000069
【図５８】
2017509447.tif 000070
【図５９】
2017509447.tif 000071
【図６０】
2017509447.tif 000072
【図６１】
2017509447.tif 000073
【図６２】
2017509447.tif 000074
【図６３】
2017509447.tif 000075
【図６４】
2017509447.tif 000076
【図６４Ａ】
2017509447.tif 000077
【図６５】
2017509447.tif 000078
【図６６】
2017509447.tif 000079
【図６７】
2017509447.tif 000080
【図６８】
2017509447.tif 000081
【図６９】
2017509447.tif 000082
【国際調査報告】
2017509447.tif 000083
2017509447.tif 000084
2017509447.tif 000085
2017509447.tif 000086
2017509447.tif 000087